(57)【特許請求の範囲】
【請求項１】
チャネルを経由して基地局において第１の信号を受信することであって、前記第１の信号は第１のレベルの精度を有する第１の同期情報を備える、前記受信することと、
前記第１の同期情報に基づいて１回目に前記基地局のクロックを調整することと、
１つまたは複数の基地局が信号の伝送をなしで済ませる協調沈黙の期間の間に、前記チャネルを経由して、前記基地局において第２の信号を受信することであって、前記第２の信号は前記第１のレベルの精度よりも高い第２のレベルの精度を有する第２の同期情報を備える、前記受信することと、
前記第２の同期情報に基づいて２回目に前記基地局の前記クロックを調整することと、
を備える方法。
【請求項２】
前記第１の信号は、前記チャネルのリソースの第１のサブセットの上で受信され、
前記第２の信号は、リソースの第２のサブセットの上で受信され、リソースの前記第２のサブセットは、同期精度の少なくともあらかじめ決定されたレベルを有する、少なくとも１つの基地局からの伝送のために予約される、請求項１に記載の方法。
【請求項３】
１グループの基地局は、前記チャネルを共用し、そして前記グループからの基地局の第１のサブセットは、前記チャネルの上の協調沈黙の期間識別されるリソースを利用してそれぞれの信号を送信し、そして前記グループからの基地局の第２のサブセットは、前記チャネルの上の前記協調沈黙の期間識別される前記リソースを使用して、それぞれの信号の伝送をなしで済ませる、請求項１に記載の方法。
【請求項４】
前記チャネルに含まれるＮ個のスロットの組からの特定のスロットの中で与えられた送信する基地局から前記第１の信号を受信することをさらに備え、Nは整数である、請求項１に記載の方法。
【請求項５】
前記与えられた送信する基地局によって利用される前記チャネルに含まれるＮ個のスロットの前記組からの前記特定のスロットは、時間と共に変化する、請求項４に記載の方法。
【請求項６】
前記チャネルは、周波数分割多元接続システムの中の周波数帯域または直交周波数分割多元接続システムの中のサブキャリアの組のうちの一方を備える、請求項１に記載の方法。
【請求項７】
前記チャネルを経由して受信される１組の信号から前記第１の信号を選択すること、をさらに備える、請求項１に記載の方法。
【請求項８】
前記第１の信号は同期信号である、請求項１に記載の方法。
【請求項９】
チャネルを経由して基地局において第１の同期信号を受信することであって、前記第１の同期信号は第１のレベルの精度を有する第１の同期情報を備える、前記受信し、
前記第１の同期情報に基づいて、１回目に前記基地局のクロックを調整し、
１つまたは複数の基地局が信号の伝送をなしで済ませる協調沈黙の期間の間に、前記チャネルを経由して、前記基地局において第２の同期信号を受信することであって、前記第２の同期信号は前記第１のレベルの精度よりも高い第２のレベルの精度を有する第２の同期情報を備える、前記受信し、
前記第２の同期情報に基づいて２回目に前記基地局の前記クロックを調整する、
ように構成された少なくとも１つのプロセッサを備える、ワイヤレス通信装置。
【請求項１０】
前記第１の同期信号は、前記チャネルのリソースの第１のサブセットの上で受信され、
前記第２の同期信号は、前記チャネル、または別個のチャネルのうちの１つまたは複数のリソースの第２のサブセットの上で受信され、リソースの前記第２のサブセットは、同期精度の少なくともあらかじめ決定されたレベルを有する少なくとも１つの基地局からの伝送のために予約される、請求項９に記載のワイヤレス通信装置。
【請求項１１】
１グループの基地局は、前記チャネルを共用し、前記グループからの基地局の第１のサブセットは、前記チャネルの上の協調沈黙の期間予約されるリソースを利用してそれぞれの同期信号を送信し、前記グループからの基地局の第２のサブセットは、前記チャネルの上の前記協調沈黙の期間予約される前記リソースを使用した、それぞれの同期信号の伝送を停止させる、請求項９に記載のワイヤレス通信装置。
【請求項１２】
前記少なくとも１つのプロセッサはさらに、前記チャネルに含まれるＮ個のスロットの組からのスロットを変化させる特定の時間において、特定の送信する基地局から前記第１の同期信号を受信するように構成され、
Ｎは整数である、請求項９に記載のワイヤレス通信装置。
【請求項１３】
前記チャネルは、周波数分割多元接続システムの中の周波数帯域または直交周波数分割多元接続システムの中のサブキャリアの組のうちの一方を備える、請求項９に記載のワイヤレス通信装置。
【請求項１４】
前記少なくとも１つのプロセッサはさらに、前記チャネルを経由して複数の送信する基地局からそれぞれ受信される同期信号の組から前記第１の同期信号を選択するように構成される、請求項９に記載のワイヤレス通信装置。
【請求項１５】
チャネルを経由して基地局において第１の信号を受信するための手段であって、前記第１の信号は第１のレベルの精度を有する第１の同期情報を備える、前記受信するための手段と、
前記第１の同期情報に基づいて１回目に前記基地局のクロックを調整するための手段と、
１つまたは複数の基地局が信号の伝送をなしで済ませる協調沈黙の期間の間に、前記チャネルを経由して、前記基地局において第２の信号を受信するための手段であって、前記第２の信号は前記第１のレベルの精度よりも高い第２のレベルの精度を有する第２の同期情報を備える、受信するための手段と、
前記第２の同期情報に基づいて２回目に前記基地局の前記クロックを調整するための手段と、
を備える装置。
【請求項１６】
同期信号の組から前記第１の同期信号を選択するための手段をさらに備える、請求項１５に記載の装置。
【請求項１７】
前記第１の同期信号は前記チャネルのリソースの第１のサブセット上で得られ、前記第２の同期信号は前記チャネルまたは別個のチャネルのうちの少なくとも一方のリソースの第２のサブセット上で得られる、請求項１５に記載の装置。
【請求項１８】
１グループの基地局は、前記チャネルを共用し、前記グループからの基地局の第１のサブセットは、前記チャネルの上の協調沈黙の期間予約されるリソースを利用してそれぞれの同期信号を送信し、前記グループからの基地局の第２のサブセットは、前記チャネルの上の前記協調沈黙の期間予約される前記リソースを使用して、それぞれの同期信号の伝送を禁止する、請求項１５に記載の装置。
【請求項１９】
同期信号の組のうち同期信号のおのおのが、対応する送信する基地局からそれぞれ送信される対応する送信スロットは、時間の関数として変化する、請求項１５に記載の装置。
【請求項２０】
少なくとも１台のコンピュータに、チャネルを経由して基地局において第１の信号を受信するようにさせるためのコードであって、前記第１の信号は第１のレベルの精度を有する第１の同期情報を備える、前記受信するようにさせるためのコードと、
少なくとも１台のコンピュータに、前記第１の同期情報に基づいて１回目に前記基地局のクロックを調整するようにさせるためのコードと、
少なくとも１台のコンピュータに、１つまたは複数の基地局が信号の伝送をなしで済ませる協調沈黙の期間の間に、前記チャネルを経由して、前記基地局において第２の信号を受信するようにさせるためのコードであって、前記第２の信号は前記第１のレベルの精度よりも高い第２のレベルの精度を有する第２の同期情報を備える、前記受信するようにさせるためのコードと、
少なくとも１台のコンピュータに、前記第２の同期情報に基づいて２回目に前記基地局の前記クロックを調整するようにさせるためのコードと、
を記録したコンピュータ読み取り可能な記録媒体。
【請求項２１】
前記第１の信号は、前記チャネルのリソースの第１のサブセットの上で受信され、
前記第２の信号は、リソースの第２のサブセットの上で受信され、
リソースの前記第２のサブセットは、同期精度の少なくともあらかじめ決定されたレベルを有する少なくとも１つの基地局からの伝送のために予約される、請求項２０に記載のコンピュータ読み取り可能な記録媒体。
【請求項２２】
１グループの基地局は、前記チャネルを共用し、前記グループからの基地局の第１のサブセットは、前記チャネルの上の協調沈黙の期間識別されるリソースを利用してそれぞれの信号を送信し、前記グループからの基地局の第２のサブセットは、前記チャネルの上の前記協調沈黙の期間識別される前記リソースを使用して、それぞれの信号の伝送をなしで済ませる、請求項２０に記載のコンピュータ読み取り可能な記録媒体。
【請求項２３】
少なくとも１台のコンピュータに、前記チャネルに含まれるＮ個のスロットの組からの特定のスロットの中で、与えられた送信する基地局から前記第１の信号を受信するようにさせるためのコードであって、前記Ｎは整数である、前記受信するようにさせるためのコード
をさらに記録した、請求項２０に記載のコンピュータ読み取り可能な記録媒体。
【請求項２４】
前記与えられた送信する基地局によって利用される前記チャネルに含まれるＮ個のスロットの前記組からの前記特定のスロットは、時間と共に変化する、請求項２３に記載のコンピュータ読み取り可能な記録媒体。
【請求項２５】
前記チャネルは、周波数分割多元接続システムの中の周波数帯域または直交周波数分割多元接続システムの中のサブキャリアの組のうちの一方を備える、請求項２０に記載のコンピュータ読み取り可能な記録媒体。
【請求項２６】
少なくとも１台のコンピュータに、前記チャネルを経由して受信される信号の組から前記第１の信号を選択するようにさせるためのコード、をさらに記録した、請求項２０に記載のコンピュータ読み取り可能な記録媒体。
【請求項２７】
チャネルを経由して受信する基地局において第１の同期信号を受信する受信コンポーネントであって、前記第１の同期信号は第１のレベルの精度を有する第１の同期情報を備える、前記受信コンポーネントと、
前記第１の同期信号に基づいて前記受信する基地局のクロックを調整する調整コンポーネントと、
を備え、
前記受信コンポーネントは、１つまたは複数の基地局が信号の伝送をなしで済ませる協調沈黙の期間の間に、前記チャネルを経由して、前記受信する基地局において第２の同期信号をさらに受信し、
前記第２の同期信号は、第１のレベルの精度よりも高い第２のレベルの精度を有する第２の同期情報を備え、
前記調整コンポーネントは、前記第２の同期情報に基づいて２回目に前記受信する基地局の前記クロックをさらに調整する、装置。
【請求項２８】
前記チャネルを経由して受信される同期信号の組から、前記調整コンポーネントによって利用される前記第１の同期信号を選択するソース選択コンポーネントをさらに備える、請求項２７に記載の装置。
【請求項２９】
基地局のクロックに基づいて第１の同期信号を生成することであって、前記第１の同期信号は第１のレベルの精度を有する第１の同期情報を備える、前記生成することと、
１グループの基地局によって共用されるチャネル上で前記基地局から前記第１の同期信号を送信することと、
１つまたは複数の基地局が信号の伝送をなしで済ませる協調沈黙の期間の間に、前記基地局の前記クロックに基づいて第２の同期信号を生成することであって、前記第２の同期信号は前記第１のレベルの精度よりも高い第２のレベルの精度を有する第２の同期情報を備える、前記生成することと、
前記チャネル上で前記基地局から前記第２の同期信号を送信することと、
を備える方法。
【請求項３０】
粗タイミングに関連するリソースを利用して前記チャネル上で前記第１の同期信号を送信することをさらに備える、請求項２９に記載の方法。
【請求項３１】
前記第１の同期信号は、前記第１の同期信号を送信するために使用される１つまたは複数の時間、期間、周波数帯域、または拡散符号に対応するリソース上で送信される、請求項２９に記載の方法。
【請求項３２】
前記第２のレベルの精度は、同期精度の少なくともあらかじめ決定されたレベルである、請求項２９に記載の方法。
【請求項３３】
前記基地局の前記クロックが、同期精度の少なくとも前記あらかじめ決定されたレベルを欠くときに、前記第２の同期信号の伝送を禁止することをさらに備える、請求項３２に記載の方法。
【請求項３４】
異種の同期信号を受信することと、
前記異種の同期信号に基づいて前記基地局の前記クロックを調整することと、
をさらに備える、請求項３３に記載の方法。
【請求項３５】
前記グループからの基地局の第１のサブセットは、前記チャネルの上の協調沈黙の期間識別されるリソースを利用してそれぞれの同期信号を送信し、前記グループからの基地局の第２のサブセットは、前記チャネルの上の前記協調沈黙の期間識別される前記リソースを使用して、それぞれの同期信号の伝送をなしで済ませる、請求項２９に記載の方法。
【請求項３６】
前記チャネルは、周波数分割多元接続システムの中の周波数帯域または直交周波数分割多元接続システムの中のサブキャリアの組のうちの一方を備える、請求項２９に記載の方法。
【請求項３７】
前記チャネルに含まれるＮ個の送信スロットの組からの特定の送信スロットの中で前記第１の同期信号を送信すること、をさらに備え、Ｎは整数とすることができる、請求項２９に記載の方法。
【請求項３８】
前記基地局に関連する疑似ランダムシーケンスの関数として時間と共に前記第１の同期信号を送信するために利用されるＮ個の送信スロットの前記組からの前記特定の送信スロットを変化させること、をさらに備える、請求項３７に記載の方法。
【請求項３９】
前記基地局の前記クロックが、全地球測位システムにより調整される、自己調整される、または少なくとも１つの異なる基地局から調整される、のうちの１つであるかどうかを示すこと、をさらに備える、請求項２９に記載の方法。
【請求項４０】
基地局のクロックに基づいて第１の同期信号を与えることであって、前記第１の同期信号は第１のレベルの精度を有する第１の同期情報を備える、前記第１の同期信号を与え、
１グループの基地局によって共用されるチャネル上で前記基地局から前記第１の同期信号を送信し、
１つまたは複数の基地局が信号の伝送をなしで済ませる協調沈黙の期間の間に、前記基地局の前記クロックに基づいて第２の同期信号を与えることであって、前記第２の同期信号は前記第１のレベルの精度よりも高い第２のレベルの精度を有する第２の同期情報を備える、前記第２の同期信号を与え、
前記チャネル上で前記基地局から前記第２の同期信号を送信する、
ように構成された少なくとも１つのプロセッサを備える、ワイヤレス通信装置。
【請求項４１】
前記少なくとも１つのプロセッサはさらに、
前記基地局の前記クロックが、同期精度の少なくともあらかじめ決定されたレベルを欠くときに、前記第２の同期信号を送信することを禁止するように構成される、請求項４０に記載のワイヤレス通信装置。
【請求項４２】
前記少なくとも１つのプロセッサはさらに、
異種の同期信号を受信し、そして、
前記異種の同期信号に合わせて前記基地局の前記クロックを調整する、
ように構成される、請求項４１に記載のワイヤレス通信装置。
【請求項４３】
基地局のクロックの関数として第１の同期信号を生成するための手段であって、前記第１の同期信号は第１のレベルの精度を有する第１の同期情報を備える、前記生成するための手段と、
チャネル上で前記基地局から前記第１の同期信号を送信するための手段と、
１つまたは複数の基地局が信号の伝送をなしで済ませる協調沈黙の期間の間に、前記基地局の前記クロックの関数として、第２の同期信号を生成するための手段であって、前記第２の同期信号は前記第１のレベルの精度よりも高い第２のレベルの精度を有する第２の同期情報を備える、前記生成するための手段と、
前記チャネル上で前記基地局から前記第２の同期信号を送信するための手段と、
を備える装置。
【請求項４４】
前記基地局の同期精度のレベルの関数として微タイミングに関連するリソースの上の前記チャネル上で前記基地局から前記第２の同期信号を送信するための手段、をさらに備える、請求項４３に記載の装置。
【請求項４５】
前記基地局が、同期精度の少なくともあらかじめ決定されたレベルを欠くときに、受信される異種の同期信号に基づいて前記基地局の前記クロックを調整するための手段、をさらに備える、請求項４３に記載の装置。
【請求項４６】
少なくとも１台のコンピュータに、基地局のクロックの関数として第１の同期信号を与えるようにさせるためのコードであって、前記第１の同期信号は第１のレベルの精度を有する第１の同期情報を備える、前記第１の同期信号を与えるようにさせるためのコードと、
少なくとも１台のコンピュータに、複数の基地局によって共用されるチャネル上で前記基地局から前記同期信号を送信するようにさせるためのコードと、
少なくとも１台のコンピュータに、１つまたは複数の基地局が信号の伝送をなしで済ませる協調沈黙の期間の間に、前記基地局の前記クロックの関数として、第２の同期信号を与えるようにさせるためのコードであって、前記第２の同期信号は前記第１のレベルの精度よりも高い第２のレベルの精度を有する第２の同期情報を備える、前記第２の同期信号を与えるようにさせるためのコードと、
少なくとも１台のコンピュータに、前記チャネル上で前記基地局から前記第２の同期信号を送信するようにさせるためのコードと、
を記録したコンピュータ読み取り可能な記録媒体。
【請求項４７】
少なくとも１台のコンピュータに、前記基地局の同期精度のレベルの関数として微タイミングに関連するリソースの上の前記チャネル上で前記基地局から前記第２の同期信号を送信するようにさせるためのコード、をさらに記録した、請求項４６に記載のコンピュータ読み取り可能な記録媒体。
【請求項４８】
前記基地局が、同期精度の少なくともあらかじめ決定されたレベルを欠くときに、少なくとも１台のコンピュータに、微タイミングに関連するリソースの上で受信される異種の同期信号に合わせて前記基地局の前記クロックを同期させるようにさせるためのコード、をさらに記録した、請求項４６に記載のコンピュータ読み取り可能な記録媒体。
【請求項４９】
送信する基地局のクロックに基づいて第１の同期信号を与える同期信号生成コンポーネントであって、前記第１の同期信号は第１のレベルの精度を有する第１の同期情報を備える、前記同期信号生成コンポーネントと、
１グループの基地局によって共用されるチャネル上で前記送信する基地局から前記第１の同期信号を送信する送信コンポーネントと、
を備え、
前記同期信号生成コンポーネントは、１つまたは複数の基地局が信号の伝送をなしで済ませる協調沈黙の期間の間に、前記基地局の前記クロックに基づいて第２の同期信号を与え、
前記第２の同期信号は、前記第１のレベルの精度よりも高い第２のレベルの精度を有する第２の同期情報を備え、
前記送信コンポーネントは、前記チャネル上で前記基地局から前記第２の同期信号を送信する、装置。
【請求項５０】
前記グループからの基地局の第１のサブセットは、前記チャネルの上の協調沈黙の期間識別されるリソースを利用してそれぞれの同期信号を送信し、前記グループからの基地局の第２のサブセットは、前記チャネルの上の前記協調沈黙の期間識別される前記リソースを使用して、それぞれの同期信号の伝送をなしで済ませる、請求項４９に記載の装置。
【発明の詳細な説明】
【優先権の主張】
【０００１】
［３５Ｕ．Ｓ．Ｃ．§１１９の下の優先権の主張］
特許についての本願は、２００８年８月２２日に出願され、本特許出願の譲受人に譲渡され、かつ、参照によって明示的に本特許出願に組み込まれている、「基地局同期化のための方法および装置(METHODS AND APPARATUS FOR BASE STATION SYNCHRONIZATION)」という名称の米国特許仮出願第６１／０９１，０８９号の優先権を主張するものである。
【技術分野】
【０００２】
以下の説明は、一般にワイヤレス通信に関し、より詳細には、ワイヤレス通信環境において低再使用チャネル(low reuse channel)上で送信される信号を経由した基地局間の同期化(synchronization)を提供することに関する。
【背景技術】
【０００３】
ワイヤレス通信システムは、例えば、音声、データなど、様々なタイプの通信コンテンツを提供するために広く展開される。典型的なワイヤレス通信システムは、使用可能なシステムリソース（例えば、帯域幅、送信パワー、...）を共用することにより、複数のユーザとの通信をサポートすることができる多元接続システム(multiple-access systems)とすることができる。そのような多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムなどと、を含むことができる。さらに、それらのシステムは、第３世代パートナーシッププロジェクト(third generation partnership project)（３ＧＰＰ）、３ＧＰＰロングタームエボリューション(long term evolution)（ＬＴＥ）、ウルトラモバイルブロードバンド(ultra mobile broadband)（ＵＭＢ）などの仕様、および／または進化データ最適化(evolution data optimized)（ＥＶ−ＤＯ）、その１つまたは複数の改訂版などのマルチキャリアワイヤレス仕様、に準拠したものとすることができる。
【０００４】
一般に、ワイヤレス多元接続通信システムは、複数のモバイルデバイスについての通信を同時にサポートすることができる。各モバイルデバイスは、順方向リンクおよび逆方向リンクの上の伝送を経由して１つまたは複数の基地局と通信することができる。順方向リンク（またはダウンリンク）は、基地局からモバイルデバイスへの通信リンクを意味し、そして逆方向リンク（またはアップリンク）は、モバイルデバイスから基地局への通信リンクを意味する。さらにモバイルデバイスと基地局との間の通信は、単一入力単一出力（ＳＩＳＯ）システム、多入力単一出力（ＭＩＳＯ）システム、多入力多出力（ＭＩＭＯ）システムなどを経由して確立されることがある。さらに、モバイルデバイスは、他のモバイルデバイスと（かつ／または基地局は他の基地局と）、ピアツーピアワイヤレスネットワークコンフィギュレーション(peer-to-peer wireless network configurations)の中で、通信することができる。
【０００５】
異種ワイヤレス通信システムは、一般に様々なタイプの基地局を含むことができ、これらの基地局のおのおのは、異なるセルサイズに関連づけられることがある。例えば、マクロセル基地局は、一般的に、マスト、屋上、他の既存の構造などの上にインストールされたアンテナ（単数または複数）を活用する。さらに、マクロセル基地局は、多くの場合に、約１０ワットのパワー出力を有し、そして広いエリアについてのカバレッジを提供することができる。フェムトセル基地局は、最近出現している別のクラスの基地局である。フェムトセル基地局は、一般に住居または小企業環境のために設計され、そしてモバイルデバイスと、バックホール(backhaul)のための既存のブロードバンドインターネット接続（例えば、デジタル加入者回線(digital subscriber line)（ＤＳＬ）、ケーブル、...）と通信するためにワイヤレス技術（例えば、３ＧＰＰユニバーサルモバイル電気通信システム(Universal Mobile Telecommunications System)（ＵＭＴＳ）またはロングタームエボリューション（ＬＴＥ）、１ｘ進化データ最適化（１ｘＥＶ−ＤＯ））を使用してモバイルデバイスに対するワイヤレスカバレッジを提供することができる。フェムトセル基地局は、ホームノードＢ(Home Node B)（ＨＮＢ）、フェムトセルなどと称されることもある。他のタイプの基地局の例は、ピコセル基地局、マイクロセル基地局などを含む。
【０００６】
ワイヤレス通信環境における基地局は、多くの場合に同期させられるように動作しようと試みる。ワイヤレスネットワークにおける、基地局の間の同期化は、基地局の間の干渉を軽減するために有利とすることができる。例えば、基地局のそれぞれのクロックが、時間または周波数において調整されて(aligned)いない場合、基地局は、互いに干渉し、それによって性能に悪影響を及ぼす可能性がある。さらに、基地局の間の同期化は、仮想の多入力多出力（ＭＩＭＯ）またはセンサデータ融合(sensor data fusion)を使用することを可能にすることができる。
【０００７】
伝統的に、ワイヤレスセルラネットワークにおける、基地局の間の同期化は、各基地局にそれぞれの全地球測位システム（ＧＰＳ）レシーバを配置することにより達成されることがある。ＧＰＳレシーバは、基地局のためのタイミングソースを提供することができる。それに応じて、基地局のクロックは、ＧＰＳレシーバを経由して得られる情報を利用して調整され得る。したがって、各基地局が、それぞれのＧＰＳレシーバによって受信される情報を使用することにより、その対応するクロックを調整することができるので、基地局の間の同期化は、達成され得る。
【０００８】
しかしながら、ＧＰＳレシーバおよび／またはＧＰＳ信号は、様々なシナリオの下で同期化の目的のために使用できない可能性がある。例えば、ＧＰＳレシーバおよび／またはＧＰＳ信号の使用可能性の欠如は、製造コストの考慮、消費電力制限、および／またはＧＰＳ衛星に対する見通し線(line-of-sight)の欠如に起因する可能性があるが、しかしながら、ＧＰＳレシーバおよび／またはＧＰＳ信号は、他の任意の理由（単数または複数）に起因して使用不可能になり得ることを理解すべきである。例えば、あまり強力でない基地局（例えば、フェムトセル基地局、ピコセル基地局、...）が、マクロセル基地局と一緒に異種ワイヤレス通信システムの中に含まれる可能性がある。あまり強力でない基地局は、ネットワークスループットを強化するために活用されることがあるが、けれどもこれらのあまり強力でない基地局は、多くの場合に屋内に配置され（例えば、ＧＰＳ衛星からＧＰＳ信号を受信するのに失敗し）、かつ／またはそれに関連するＧＰＳレシーバを欠いている可能性がある。
【発明の概要】
【０００９】
以下は、そのような態様についての基本的な理解を提供するために、１つまたは複数の態様の簡略化された概要を提示するものである。この概要は、すべての企図された態様の広範囲に及ぶ概説ではなく、そしてすべての態様の重要な、または不可欠な要素を識別するようにも、任意の、またはすべての態様の範囲を示すようにも意図されてはいない。その唯一の目的は、後で提示される、より詳細な説明の前置きとして、簡略化された形式で１つまたは複数の態様のいくつかの概念を提示することである。
【００１０】
１つまたは複数の実施形態と、その対応する開示とに従って、様々な態様は、ワイヤレス通信環境において基地局を同期させることに関連して説明される。基地局は、低再使用チャネルを経由して送信される同期信号を受信することができ、この低再使用チャネルは、１グループの基地局によって共用され得る。さらに、基地局は、受信された同期信号に合わせてそれに関連するクロックを調整する(align)ことができる。さらに、基地局は、低再使用チャネルのリソースの第１のサブセットの上で受信される第１の同期信号に合わせてクロックを粗調整し(coarsely align)、そしてリソースの（例えば、低再使用チャネルの、別個のチャネルの、...）第２のサブセットの上で受信される第２の同期信号に合わせてクロックを微調整する(finely align)ことができ、ここでリソースの第２のサブセットは、少なくともあらかじめ決定されたレベルの同期精度を有する、少なくとも１つの基地局からの伝送のために予約され得る。
【００１１】
関連した態様によれば、一方法が、ここにおいて説明される。本方法は、低再使用チャネルを経由して基地局において信号を受信すること、を含むことができる。さらに、本方法は、その信号に合わせて基地局のクロックを調整すること、を含むことができる。
【００１２】
別の態様は、ワイヤレス通信装置に関する。ワイヤレス通信装置は、少なくとも１つのプロセッサを含むことができる。その少なくとも１つのプロセッサは、低再使用チャネルを経由して基地局において同期信号を受信するように構成され得る。さらに、少なくとも１つのプロセッサは、同期信号に合わせて基地局のクロックを調整する(tune)ように構成され得る。
【００１３】
さらに別の態様は、ワイヤレス通信装置に関する。ワイヤレス通信装置は、低再使用チャネルを経由して基地局において同期信号の組を得るための手段を含むことができる。ワイヤレス通信装置は、その組からの少なくとも１つの同期信号に合わせて基地局のクロックを調整するための手段をさらに含むことができる。
【００１４】
さらに別の態様は、コンピュータ可読媒体を備えることができるコンピュータプログラムプロダクトに関する。コンピュータ可読媒体は、少なくとも１台のコンピュータに、低再使用チャネルを経由して基地局において信号を受信するようにさせるためのコードを含むことができる。さらに、コンピュータ可読媒体は、少なくとも１台のコンピュータに、信号に合わせて基地局のクロックを調整するようにさせるためのコードを含むこともできる。
【００１５】
さらに別の態様は、低再使用チャネルを経由して受信する基地局において同期信号を得る受信コンポーネントを含むことができる装置に関する。さらに本装置は、得られた同期信号に合わせて、受信する基地局のクロックを調整する調整コンポーネントを含むことができる。
【００１６】
他の態様によれば、一方法が、ここにおいて説明される。本方法は、基地局のクロックに基づいて同期信号を生成すること、を含むことができる。さらに、本方法は、１グループの基地局によって共用される低再使用チャネル上で基地局から同期信号を送信すること、を含むことができる。
【００１７】
別の態様は、ワイヤレス通信装置に関する。ワイヤレス通信装置は、少なくとも１つのプロセッサを含むことができる。その少なくとも１つのプロセッサは、基地局のクロックに基づいて同期信号を発生させるように構成され得る。少なくとも１つのプロセッサは、さらに、１グループの基地局によって共用される低再使用チャネル上で基地局から同期信号を送信するように構成され得る。
【００１８】
さらに別の態様は、ワイヤレス通信装置に関する。ワイヤレス通信装置は、基地局のクロックの関数として同期信号を生成するための手段を含むことができる。さらに、ワイヤレス通信装置は、低再使用チャネル上で基地局から同期信号を送信するための手段を含むこともあり得る。
【００１９】
さらに別の態様は、コンピュータ可読媒体を備えることができるコンピュータプログラムプロダクトに関する。コンピュータ可読媒体は、少なくとも１台のコンピュータに、基地局のクロックの関数として同期信号を発生させるようにさせるためのコードを含むことができる。さらに、コンピュータ可読媒体は、少なくとも１台のコンピュータに、複数の基地局によって共用される低再使用チャネル上で基地局から同期信号を送信するようにさせるためのコードを含むこともできる。
【００２０】
さらに別の態様は、送信する基地局のクロックに基づいて同期信号を発生させる同期信号生成コンポーネントを含むことができる装置に関する。さらに、本装置は、１グループの基地局によって共用される低再使用チャネル上で、送信する基地局から同期信号を送信する送信コンポーネントを含むことができる。
【００２１】
上記の、そして関連した目的を達成するために、１つまたは複数の態様は、以下で十分に説明され、そして特許請求の範囲において特に指摘される特徴を備える。以下の説明と添付の図面とは、１つまたは複数の態様のある種の例示の特徴を詳細に説明している。しかしながら、これらの特徴は、様々な態様の原理が使用され得る様々なやり方のうちの少しだけを示すにすぎず、そしてこの説明は、すべてのそのような態様とそれらの同等物とを含むように意図される。
【図面の簡単な説明】
【００２２】
【図１】図１は、ここに記載する様々な態様に従うワイヤレス通信システムの説明図である。
【図２】図２は、ワイヤレス通信環境において同期化を試みるときに互いに干渉する基地局を含む一例のシステムの説明図である。
【図３】図３は、ワイヤレス通信環境において基地局を同期させるために低再使用チャネルを使用する一例のシステムの説明図である。
【図４】図４は、ワイヤレス通信環境において基地局タイミングの多段階調整を使用する一例のシステムの説明図である。
【図５】図５は、ワイヤレス通信環境において低再使用チャネルを経由して受信される複数の同期信号から同期信号を選択することを可能にする一例のシステムの説明図である。
【図６】図６は、ワイヤレス通信環境において基地局を同期させることを容易にする一例の方法の説明図である。
【図７】図７は、ワイヤレス通信環境において基地局のクロックを調整することを容易にする一例の方法の説明図である。
【図８】図８は、ワイヤレス通信環境において同期信号を配布することを容易にする一例の方法の説明図である。
【図９】図９は、ここにおいて説明される様々な態様に関連して使用され得る一例のモバイルデバイスの説明図である。
【図１０】図１０は、ワイヤレス通信環境において基地局のクロックを同期させる一例のシステムの説明図である。
【図１１】図１１は、いくつかのユーザをサポートするように構成され、ここにおける教示がインプリメントされよう一例のワイヤレス通信システムの説明図である。
【図１２】図１２は、１つまたは複数のフェムトノードが、ネットワーク環境内に展開される一例の通信システムの説明図である。
【図１３】図１３は、そのおのおのがいくつかのマクロカバレッジエリアを含むいくつかの追跡エリア（あるいは経路指定エリアまたはロケーションエリア）が、定義されるカバレッジマップの一例の説明図である。
【図１４】図１４は、ここにおいて説明される様々なシステムおよび方法と一緒に使用され得る一例のワイヤレスネットワーク環境の説明図である。
【図１５】図１５は、ワイヤレス通信環境において基地局のクロックを同期させることを可能にする一例のシステムの説明図である。
【図１６】図１６は、ワイヤレス通信環境において同期信号を配布することを可能にする一例のシステムの説明図である。
【詳細な説明】
【００２３】
様々な態様が、次に図面を参照して説明される。以下の説明においては、説明の目的のために、非常に多くの特定の詳細が、１つまたは複数の態様についての完全な理解を提供するために述べられる。しかしながら、そのような態様（単数または複数）は、これらの特定の詳細なしに実行されることができることを明らかにすることができる。
【００２４】
本願において使用されるように、「コンポーネント」、「モジュール」、「システム」などの用語は、それだけには限定されないが、ハードウェア、ファームウェア、ハードウェアとソフトウェアとの組合せ、ソフトウェア、実行中のソフトウェアなど、コンピュータに関連したエンティティを含むように意図される。例えば、コンポーネントは、それだけには限定されないが、プロセッサ上で実行されるプロセス、プロセッサ、オブジェクト、実行形式(executable)、実行スレッド(thread of execution)、プログラム、および／またはコンピュータ、とすることができる。例証として、コンピューティングデバイス上で実行されるアプリケーションも、そのコンピューティングデバイスも、両方ともにコンポーネントとすることができる。１つまたは複数のコンポーネントは、プロセス内に存在することができ、かつ／または実行スレッドとコンポーネントとは、１台のコンピュータ上に局所化され、かつ／または２台以上のコンピュータの間で分散され得る。さらに、これらのコンポーネントは、様々なデータ構造をその上に記憶している様々なコンピュータ可読媒体から実行することができる。コンポーネントは、信号を経由してインターネットなどのネットワークを通る他のシステム、分散システム、および／またはローカルシステムの中で別のコンポーネントと対話する１つのコンポーネントからのデータなど、１つまたは複数のデータパケットを有する信号に従ってなど、ローカルおよび／またはリモートのプロセスを経由して通信することができる。
【００２５】
さらに、様々な態様が、端末に関連してここにおいて説明され、この端末は、有線端末またはワイヤレス端末とすることができる。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ装置(user equipment)（ＵＥ）、と呼ばれることもある。ワイヤレス端末は、セルラ電話、衛星電話、コードレス電話、セッション開始プロトコル(Session Initiation Protocol)（ＳＩＰ）電話、ワイヤレスローカルループ（ＷＬＬ）局、パーソナル・デジタル・アシスタント（ＰＤＡ）、ワイヤレス接続能力を有するハンドヘルドデバイス、コンピューティングデバイス、またはワイヤレスモデムに接続された他の処理デバイス、とすることができる。さらに、様々な態様は、ここにおいて基地局と関連して説明される。基地局は、ワイヤレス端末（単数または複数）と通信するために利用されることができ、そしてアクセスポイント、ノードＢ(Node B)、進化型ノードＢ(Evolved Node B)（ｅＮｏｄｅ  Ｂ、ｅＮＢ）、または何らかの他の専門用語、と称されることもある。
【００２６】
さらに、用語「または(or)」は、排他的「または(or)」ではなくて、包含的「または(or)」を意味するように意図される。すなわち、別の方法で指定され、あるいは文脈から明らかでない限り、フレーズ「Ｘは、ＡまたはＢを使用する(X employs A or B)」は、普通の包含的な置換のうちの任意のものを意味するように意図される。すなわち、フレーズ「Ｘは、ＡまたはＢを使用する」は、以下のインスタンス：Ｘは、Ａを使用する；Ｘは、Ｂを使用する；あるいはＸは、ＡとＢとの両方を使用する；のうちのどれによっても満たされる。さらに、本願と、添付の特許請求の範囲とにおいて使用されるような冠詞「１つの(a)」および「１つの(an)」は、単数形に指示されるように、別の方法で指定され、あるいは文脈から明らかでない限り、一般に、「１つまたは複数(one or more)」を意味するように解釈されるべきである。
【００２７】
ここにおいて説明される技法は、符号分割多元接続（ＣＤＭＡ）、時間分割多元接続（ＴＤＭＡ）、周波数分割多元接続（ＦＤＭＡ）、直交周波数分割多元接続（ＯＦＤＭＡ）、単一キャリア周波数分割多元接続(single carrier-frequency division multiple access)（ＳＣ−ＦＤＭＡ）システム、他のシステムなど、様々なワイヤレス通信システムのために使用され得る。用語「システム」と、「ネットワーク」とは、多くの場合に交換可能に使用される。ＣＤＭＡシステムは、ユニバーサル地上波無線アクセス(Universal Terrestrial Radio Access)（ＵＴＲＡ）、ＣＤＭＡ２０００などの無線技術をインプリメントすることができる。ＵＴＲＡは、広帯域−ＣＤＭＡ(Wideband-CDMA)（Ｗ−ＣＤＭＡ）と、ＣＤＭＡの他の変形と、を含む。さらに、ＣＤＭＡ２０００は、ＩＳ−２０００規格と、ＩＳ−９５規格と、ＩＳ−８５６規格と、をカバーする。ＴＤＭＡシステムは、移動通信用グローバルシステム(Global System for Mobile Communications)（ＧＳＭ）（登録商標）などの無線技術をインプリメントすることができる。ＯＦＤＭＡシステムは、進化型(Evolved)ＵＴＲＡ（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ(Flash-OFDM)などの無線技術をインプリメントすることができる。ＵＴＲＡと、Ｅ−ＵＴＲＡとは、ユニバーサルモバイル電気通信システム(Universal Mobile Telecommunication System)（ＵＭＴＳ）の一部分である。３ＧＰＰロングタームエボリューション(Long Term Evolution)（ＬＴＥ）は、Ｅ−ＵＴＲＡを使用したＵＭＴＳのリリースであり、これは、ダウンリンク上のＯＦＤＭＡと、アップリンク上のＳＣ−ＦＤＭＡとを使用する。ＵＴＲＡ、Ｅ−ＵＴＲＡ、ＵＭＴＳ、ＬＴＥおよびＧＳＭは、「第３世代パートナーシッププロジェクト(3rd Generation Partnership Project)」（３Ｇ
ＰＰ）と名付けられる組織からの文書の中で説明される。さらに、ＣＤＭＡ２０００およびウルトラモバイルブロードバンド（ＵＭＢ）は、「第３世代パートナーシッププロジェクト２(3rd Generation Partnership Project 2)」（３ＧＰＰ２）と名付けられる組織からの文書の中で説明される。さらに、そのようなワイヤレス通信システムは、多くの場合に、対になっていないライセンスされていないスペクトル、８０２．ｘｘワイヤレスＬＡＮ、ブルートゥース(BLUETOOTH)（登録商標）、および他の任意の短距離または長距離のワイヤレス通信技法を使用したピアツーピア（例えば、モバイルツーモバイル）アドホックネットワークシステム、をさらに含むことができる。
【００２８】
単一キャリア周波数分割多元接続(Single carrier frequency division multiple access)（ＳＣ−ＦＤＭＡ）は、単一キャリア変調と、周波数ドメイン等化とを利用している。ＳＣ−ＦＤＭＡは、ＯＦＤＭＡシステムと同様な性能と、実質的に同じ全般的な複雑さと、を有する。ＳＣ−ＦＤＭＡ信号は、その固有の単一キャリア構造のために、より低いピーク対平均電力比(peak-to-average power ratio)（ＰＡＰＲ）を有する。ＳＣ−ＦＤＭＡは、例えば、より低いＰＡＰＲが、送信パワー効率の観点からアクセス端末を非常に有利にする場合のアップリンク通信において使用され得る。したがって、ＳＣ−ＦＤＭＡは、３ＧＰＰロングタームエボリューション（ＬＴＥ）または進化型ＵＴＲＡにおけるアップリンク多元接続スキームとしてインプリメントされ得る。
【００２９】
ここにおいて説明される様々な態様または特徴は、標準のプログラミング技法および／またはエンジニアリング技法を使用した方法、装置、または製造の物品としてインプリメントされ得る。ここにおいて使用されるような用語「製造の物品」は、任意のコンピュータ可読なデバイス、キャリア、または媒体からアクセス可能なコンピュータプログラムを包含するように意図される。例えば、コンピュータ可読媒体は、それだけには限定されないが、磁気ストレージデバイス（例えば、ハードディスク、フロッピー（登録商標）ディスク、磁気ストリップなど）、光ディスク（例えば、コンパクトディスク（ＣＤ）、デジタル多用途ディスク(digital versatile disk)（ＤＶＤ）など）、スマートカード、およびフラッシュメモリデバイス（例えば、ＥＰＲＯＭ、カード、スティック、キードライブなど）を含むことができる。さらに、ここにおいて説明される様々なストレージ媒体は、情報を記憶するための１つまたは複数のデバイス、および／または他の機械可読媒体(machine-readable media)を表すことができる。用語「機械可読媒体」は、それだけには限定されずに、命令（単数または複数）および／またはデータを、記憶すること、含むこと、および／または搬送することのできる様々な他の媒体と、ワイヤレスチャネルと、を含むことができる。
【００３０】
次に図１を参照すると、ワイヤレス通信システム１００が、ここにおいて提示される様々な実施形態に従って示されている。システム１００は、複数のアンテナグループを含むことができる基地局１０２を備える。例えば、あるアンテナグループは、アンテナ１０４および１０６を含むことができ、別のグループは、アンテナ１０８および１１０を備えることができ、そして追加のグループは、アンテナ１１２および１１４を含むことができる。２つのアンテナが、各アンテナグループについて示されているが、しかしながら、より多くの、またはより少ないアンテナが、各グループについて利用されることがある。当業者によって理解されるであろうように、基地局１０２は、トランスミッタチェーンと、レシーバチェーンとをさらに含むことができ、これらのチェーンのおのおのは、順に、信号の送信と受信とに関連する複数のコンポーネント（例えば、プロセッサ、変調器、マルチプレクサ、復調器、デマルチプレクサ、アンテナなど）を備えることができる。
【００３１】
基地局１０２は、モバイルデバイス１１６やモバイルデバイス１２２など、１つまたは複数のモバイルデバイスと通信することができるが、しかしながら、基地局１０２は、モバイルデバイス１１６および１２２に似ている実質的に任意の数のモバイルデバイスと通信することができることを理解すべきである。モバイルデバイス１１６および１２２は、例えば、セルラ電話、スマートフォン、ラップトップ、ハンドヘルド通信デバイス、ハンドヘルドコンピューティングデバイス、衛星無線、全地球測位システム、ＰＤＡ、および／またはワイヤレス通信システム１００上で通信するための他の適切な任意のデバイスとすることができる。図示されるように、モバイルデバイス１１６は、アンテナ１１２および１１４と通信しており、ここでアンテナ１１２および１１４は、順方向リンク１１８上でモバイルデバイス１１６へと情報を送信し、そして逆方向リンク１２０上でモバイルデバイス１１６から情報を受信する。さらに、モバイルデバイス１２２は、アンテナ１０４および１０６と通信しており、ここでアンテナ１０４および１０６は、順方向リンク１２４上でモバイルデバイス１２２へと情報を送信し、そして逆方向リンク１２６上でモバイルデバイス１２２から情報を受信する。周波数分割複信(frequency division duplex)（ＦＤＤ）システムにおいては、順方向リンク１１８は、逆方向リンク１２０によって使用される周波数帯域と異なる周波数帯域を利用することができ、そして順方向リンク１２４は、例えば、逆方向リンク１２６によって使用される周波数帯域と異なる周波数帯域を使用することができる。さらに、時分割複信(time division duplex)（ＴＤＤ）システムにおいては、順方向リンク１１８と、逆方向リンク１２０とは、共通の周波数帯域を利用することができ、そして順方向リンク１２４と、逆方向リンク１２６とは、共通の周波数帯域を利用することができる。
【００３２】
それらが通信するように指定された各グループのアンテナおよび／またはエリアは、基地局１０２のセクタと称されることがある。例えば、アンテナグループは、基地局１０２によってカバーされるエリアのセクタの中のモバイルデバイスに対して通信するように設計されることがある。順方向リンク１１８および１２４上の通信においては、基地局１０２の送信アンテナは、モバイルデバイス１１６および１２２についての順方向リンク１１８および１２４の信号対雑音比を改善するためにビーム形成を利用することができる。また、基地局１０２は、関連するカバレッジを通してランダムに散乱されたモバイルデバイス１１６および１２２へと送信するためにビーム形成を利用するが、近隣セルの中のモバイルデバイスは、単一のアンテナを通してすべてのそのモバイルデバイスへと送信する基地局に比べて少ない干渉しか受けない可能性がある。
【００３３】
システム１００は、そのような目的のために低再使用チャネルを利用する基地局（例えば、基地局１０２、異種の基地局（図示せず）、...）を同期させることをサポートすることができる。例証によれば、低再使用チャネルは、専用の共用チャネルとすることができる。低再使用チャネルは、干渉を低減させることを可能にし、そして基地局の間の同期化を提供することができる。基地局の間の同期化は、例えば、スループット利得を与え、かつ／または干渉管理をサポートすることができる。さらなる例によれば、基地局の間のそのような同期化は、仮想の多入力多出力（ＭＩＭＯ）を使用するために、かつ／またはセンサデータ融合を提供するために、活用され得る。
【００３４】
例証として、システム１００は、異種ワイヤレス通信システムとすることができる。それ故に、システム１００は、マクロセル基地局、フェムトセル基地局、ピコセル基地局、および／または同様なものを含むことができる。フェムトセル基地局やピコセル基地局などの低パワー基地局は、それに関連するそれぞれの全地球測位システム（ＧＰＳ）を欠いている可能性があり、かつ／またはＧＰＳ信号を（例えば、屋内に位置づけられていることに起因して）受信することができない可能性がある。基地局１０２が、ＧＰＳレシーバ（例えば、基地局１０２に含まれ、基地局１０２と共に配置される）を欠いており、かつ／またはＧＰＳ信号を受信することができない、低パワー基地局であることを仮定すると、そのときには基地局１０２は、対応するＧＰＳレシーバを用いて得られる情報に直接に基づいてその時間および／または周波数を同期させることができない可能性がある。さらに、高パワー基地局（例えば、マクロセル基地局、...）が、同様にＧＰＳ信号を受信することができない可能性があり、かつ／または関連するＧＰＳレシーバを欠いている可能性があることを理解すべきである。別の例証によれば、システム１００は、伝統的に、例えば、ユニバーサルモバイル電気通信システム（ＵＭＴＳ）ネットワークなど、同期していない基地局を含むシステムとすることができる。
【００３５】
システム１００は、基地局（例えば、計画外の異種ネットワーク展開における、...）の少なくともサブセットが、それぞれのＧＰＳレシーバに関連づけられることができず、かつ／またはＧＰＳ信号を受信することができないときに、基地局を同期させることを可能とすることができる。追加して、または代わりに、システム１００は、非同期であるように設計されたネットワークにおいて基地局を同期させることをサポートすることもでき、それ故に、同期化からもたらされる利点は、そのようなネットワークにおいて各基地局にＧＰＳレシーバを追加する必要なしに、ここにおいて説明される技法を使用することにより、もたらされることがあり得る。
【００３６】
図２を参照すると、ワイヤレス通信環境において同期化を試みるときに互いに干渉する基地局を含むシステム２００が、示されている。システム２００は、同期信号を送信することができる基地局２０２を含んでいる。基地局２０２は、同期した基地局とすることができる。さらに、システム２００は、異種の基地局（例えば、基地局２０４と基地局２０６と、...）を含むことができ、この異種の基地局は、無線で(over the air)基地局２０２からの同期信号をリッスンしようと試みることができる。受信された同期信号に基づいて、基地局２０４〜２０６は、おのおのそれに応じてそれらのクロックを調整することができる。
【００３７】
従来の同期化技法は、同期化のために基地局に互いにリッスンさせることを活用する。したがって、基地局２０４〜２０６（例えば、非ＧＰＳ基地局、非同期基地局、...）は、同期化の目的のために基地局２０２からの無線同期信号(over the air synchronization signal)をリッスンすることができる。しかしながら、伝統的なアプローチにおいては、これらの技法は、一般的にセルラインフラストラクチャの中のブロードキャスティングサービスにおけるタイミング訂正に適用される。
【００３８】
信号干渉は、計画外の展開における主要な制限因子(limiting factor)とすることができる。有害な干渉は、無線で望ましい同期信号（例えば、基地局２０２からの、...）をリッスンすることから非ＧＰＳ基地局（例えば、基地局２０４、基地局２０６、...）の能力を妨げることができる。これは、特に異種展開において当てはまり、例えば、異種展開においては、基地局２０４〜２０６は、おのおの、良い形状（geometry）を欠いた低パワー基地局（例えば、ピコセル基地局、フェムトセル基地局、...）とすることができる。従来の技法を使用するときに、基地局２０４〜２０６は、それら自体の間で厳しい妨害電波(jamming)を引き起こす可能性がある。図示された例に続いて、基地局２０４〜２０６は、互いにすぐ近くにある可能性があり、そして両方ともに非同期である可能性がある。さらに、基地局２０４〜２０６は、どちらの基地局２０４〜２０６も同期した基地局２０２からの同期信号上の良い信号対干渉比(signal to interference ratio)（ＳＩＲ）を享受することができない可能性があるように、高いレベルで互いの間の干渉を生成する可能性がある。
【００３９】
図３を参照すると、ワイヤレス通信環境において基地局を同期させるために低再使用チャネルを使用するシステム３００が、示されている。システム３００は、送信する基地局３０２と、受信する基地局３０４と、を含む。送信する基地局３０２と、受信する基地局３０４とは、おのおの、情報、信号、データ、命令、コマンド、ビット、シンボルなどを送信し、かつ／または受信することができる。さらに送信する基地局３０２と、受信する基地局３０４とは、低再使用チャネルを経由して通信することができる。送信する基地局３０２、および／または受信する基地局３０４は、おのおの、任意のタイプの基地局（例えば、フェムトセル基地局、ピコセル基地局、マイクロセル基地局、マクロセル基地局、...）とすることができることが、企図される。図示されてはいないが、システム３００は、任意の数の異種の基地局（単数または複数）を含むこともでき、これらの基地局のおのおのは、低再使用チャネル上で通信することができることを理解すべきである。さらに、送信する基地局３０２は、受信する基地局とすることができ、かつ／または受信する基地局３０４は、送信する基地局３０２とすることができることが、企図され、したがって受信する基地局３０４は、低再使用チャネル上で伝送を送信することができ、かつ／または送信する基地局３０２は、低再使用チャネル上で送信される伝送を受信することができる。さらに、図示されてはいないが、システム３００は、実質的に任意の数のモバイルデバイスをさらに含むことができることが、企図され、これらのモバイルデバイスは、おのおの、順方向リンクおよび／または逆方向リンクを経由して１つまたは複数の送信する基地局３０２と受信する基地局３０４と通信することができる。
【００４０】
送信する基地局３０２は、クロックコンポーネント３０６と、同期化コンポーネント３０８と、送信コンポーネント３１０と、をさらに含むことができる。クロックコンポーネント３０６は、送信する基地局３０２に関連するクロックを制御することができる。さらなる一例として、クロックコンポーネント３０６は、送信する基地局３０２に関連する複数の内部クロックを管理することができることが、企図される。クロックコンポーネント３０６は、様々なソースから得られる情報に基づいて設定されることができる。例えば、図示されていないが、送信する基地局３０２は、ＧＰＳレシーバに関連づけられることがあり得る（例えば、送信する基地局３０２のすぐ近くに位置づけられる、送信する基地局３０２に結合される、送信する基地局３０２に含められる）ことが、企図される。この例に続いて、送信する基地局３０２のクロックコンポーネント３０６は、ＧＰＳレシーバによって受信される情報に基づいて制御され得る。別の例証によれば、送信する基地局３０２のクロックコンポーネント３０６は、１つまたは複数の異種の基地局（例えば、受信する基地局３０４、異なる基地局（単数または複数）（図示せず）、...）から受信される情報の関数として制御されることができ、それ故に、クロックコンポーネント３０６は、異種の基地局（単数または複数）からの情報に基づいてタイミングを導き出すことができる。しかしながら、送信する基地局３０２のクロックコンポーネント３０６は、実質的に任意のリソースからの情報に基づいて管理されることができることが、企図されるので、特許請求の範囲の主題は、上記だけに限定されないことを理解すべきである。
【００４１】
さらに、同期信号生成コンポーネント３０８は、送信する基地局３０２のクロックコンポーネント３０６に基づいて同期信号を与えることができる。例えば、同期信号は、クロックコンポーネント３０６のタイミングに関連した情報を含むことができる。さらに、同期信号生成コンポーネント３０８によって生成される同期信号は、送信する基地局３０２によって保持される（例えば、クロックコンポーネント３０６によって管理される、...）周波数関連情報を含むことができる。
【００４２】
送信コンポーネント３１０は、低再使用チャネル上で、送信する基地局３０２からの同期信号生成コンポーネント３０８によって与えられる同期信号を送信することができ、この低再使用チャネルは、（例えば、受信する基地局３０４を含めて、...）基地局のグループによって共用されることがあり得る。例えば、送信された同期信号は、ここにおいて説明されるように、グループの中の１つまたは複数の基地局（例えば、受信する基地局３０４、...）のそれぞれのタイミングおよび／または周波数を調整するために使用され得る。
【００４３】
受信する基地局３０４は、クロックコンポーネント３１２と、調整コンポーネント３１４と、受信コンポーネント３１６と、を含むことができる。クロックコンポーネント３１２は、受信する基地局３０４に関連するクロック（または複数のクロック）を制御することができる。さらに、受信する基地局３０４のクロックコンポーネント３１２は、送信する基地局３０２のクロックコンポーネント３０６に類似したものとすることができる。さらに、調整コンポーネント３１４は、受信コンポーネント３１６によって受信される同期信号に合わせてクロックコンポーネント３１２を調整することができる。調整コンポーネント３１４は、時間同期化および／または周波数同期化のために受信された同期信号を使用することができる。
【００４４】
受信コンポーネント３１６は、受信する基地局３０４において同期信号を得ることができる。受信コンポーネント３１６は、低再使用チャネル上で送信される同期信号を検出することができる。同期信号は、低再使用チャネルを共用する基地局のグループの中の異種の基地局から低再使用チャネルを経由して受信され得る。したがって、例えば、受信コンポーネント３１６は、低再使用チャネル上で送信する基地局３０２によって送信される同期信号を得ることができるが、しかしながら、受信コンポーネント３１６によって得られ、そして調整コンポーネント３１４によって利用される同期信号は、実質的に任意の異種の送信する基地局（図示せず）から送信され得ることを理解すべきであるので、特許請求の範囲の主題は、そのように限定されることはない。
【００４５】
低再使用チャネルは、基地局（例えば、送信する基地局３０２、受信する基地局３０４、任意の異種の基地局（単数または複数）（図示せず）、...）の間の同期化（例えば、時間同期化および／または周波数同期化、...）の目的のために展開される専用の共用チャネルとすることができる。低再使用チャネルは、すべての基地局にとって使用可能とすることができるが、各基地局は、低い確率で送信することができる。さらに、非同期基地局（例えば、受信する基地局３０４、フェムトセル基地局やピコセル基地局などの低パワー基地局、...）は、低再使用チャネルを監視し、そして厳しく破損されていない同期信号を探索することができる。したがって、例えば、受信コンポーネント３１６および／または調整コンポーネント３１４は、破損のしきい値レベルより下の同期信号を求めて低再使用チャネルを検査することができる。
【００４６】
様々なリソースは、低再使用チャネルのために利用され得る。例えば、低再使用チャネルは、直交周波数分割多元接続（ＯＦＤＭＡ）システムにおけるサブキャリアの組を含むことができる。別の例として、低再使用チャネルは、周波数分割多元接続（ＦＤＭＡ）システムにおける周波数帯域を備えることができる。しかしながら、特許請求の範囲の主題は、上記の例だけには限定されないことを理解すべきである。
【００４７】
さらに、複数の送信する基地局（例えば、送信する基地局３０２、異種の送信する基地局（単数または複数）、...）は、低再使用チャネル（例えば、おのおのは、送信する基地局３０２の送信コンポーネント３１０に類似したそれぞれの送信コンポーネントを利用している）上で同期信号を送信することができる。けれども、各基地局は、低再使用同期チャネルに関連するＮ個の送信スロットの組からの特定の送信スロットの中で送信することができ、ここでＮは、整数とすることができる。例えば、送信する基地局３０２（例えば、送信コンポーネント３１０、...）は、その組からの第１の送信スロットを使用することができ、一方、異種の送信する基地局（図示せず）は、その組からの第２の送信スロットを利用することができるが、しかしながら、特許請求の範囲の主題は、そのように限定されることはない。各基地局は、その組の中のＮ個の送信スロットのうちからのそれぞれの１つを利用するので、各スロットにおける同時送信の数と、干渉の量とは、低減され得る。
【００４８】
さらなる例によれば、それぞれの同期信号を送信するおのおのの送信する基地局によって利用されるＮ個の送信スロットの組からのそれぞれの送信スロットは、時間がたつと変化する可能性がある。例えば、時間変化は、先験的に他の基地局に知られている疑似ランダムシーケンスの関数とすることができる。したがって、送信コンポーネント３１０は、時間の関数として低再使用チャネル上で（例えば、低再使用チャネルを経由して同期信号を受信し、かつ／または送信する、受信する基地局３０４および／または異種の基地局（単数または複数）によって知られている送信する基地局３０２に対応するそれぞれのあらかじめ決定された疑似ランダムシーケンスに基づいて、...）同期信号生成コンポーネント３０８によって与えられる同期信号を送信するための送信する基地局３０２によって使用されるＮ個の送信スロットの組からの特定の送信スロットを変更することができる。
【００４９】
時間に基づいて送信スロットを変化させることにより、受信する基地局（例えば、受信する基地局３０４、非同期基地局（単数または複数）、低パワー基地局（単数または複数）、...）は、時間と共に異なる干渉パターンを観察することができる。さらに、おのおのの受信する基地局は、使用可能な最も少なく干渉された同期信号を使用することができる。例証として、受信コンポーネント３１６は、低再使用チャネルを経由して受信される最も少なく干渉された同期信号を認識することができる。この例証に続いて、調整コンポーネント３１４は、クロックコンポーネント３１２を同期させるために最低の干渉を有する同期信号を利用することができる。
【００５０】
低再使用チャネルを活用することにより、貧弱な形状を有する低パワー基地局（例えば、受信する基地局３０４、フェムトセル基地局（単数または複数）、ピコセル基地局（単数または複数）、...）は、無線で近隣の基地局（例えば、送信する基地局３０２、異種の送信する基地局（単数または複数）、...）から、きれいな同期信号を得ることができる。さらに、低パワー基地局は、おのおの、ネットワークの中で他の基地局に対してそれぞれそれ自体を（例えば、時間および／または周波数において、...）同期させることができる。したがって、低再使用チャネルは、基地局を同期させるために利用されるときに、低パワー基地局が、貧弱な形状に起因してその同期化に悪影響を及ぼすレベルでのひどい干渉を経験しないように軽減することができる。
【００５１】
低再使用チャネルは、様々な送信する基地局（例えば、送信する基地局３０２、...）から同期信号を搬送することができる。同期信号は、１よりも大きな再使用因子で送信されることができ、その結果、基地局の一部分だけが、与えられた時間および／または周波数のリソースの上でそれらの同期信号を送信するようになる。例えば、Ｍ、ここでＭ＞１、の再使用因子を用いて、あらゆるＭ個の基地局のうちのただ１つが、与えられたリソース上で、その同期信号を送信することができる。より高い再使用因子（例えば、Ｍのより大きな値、...）は、より低い再使用に対応し、そして逆もまた同様である。与えられた送信する基地局から低再使用チャネル上で送信される同期信号は、それ故に、他の送信する基地局からの同期信号から、より低い干渉を観察することができ、これは、より多くの受信する基地局による同期信号の検出を可能にすることができる。
【００５２】
低再使用チャネル上で送信され得る同期信号の一例は、測位基準信号(positioning reference signal)（ＰＲＳ）である。送信する基地局３０２の送信コンポーネント３１０は、ＰＲＳ送信のために指定されるサブフレーム（またはスロット）の中でＰＲＳを送信することができる。サブフレームは、２つのスロットを含むことができ、そして各スロットは、例えば、７つのシンボル期間を含むことができる。一例によれば、送信する基地局３０２は、制御情報についての基準信号のために使用されないシンボル期間の中でＰＲＳを送信することができる。ＰＲＳ送信を有するシンボル期間は、ＰＲＳシンボル期間と称されることができる。各ＰＲＳシンボル期間において、送信する基地局３０２は、特定のサブキャリアで開始される６番目ごとのサブキャリア上でＰＲＳを送信することができる。異なる開始サブキャリアが、例えば、ＰＲＳが、Ｋ個の全部のサブキャリアのうちのすべて、または大部分の上で送信されることを可能にするために、異なるＰＲＳシンボル期間の中で使用され得る。これは、受信する基地局（例えば、受信する基地局３０４、...）が、ＰＲＳに基づいて送信する基地局３０２についてのより正確な時間測定を得ることを可能にすることができる。ＰＲＳが、各ＰＲＳシンボル期間において６番目ごとのサブキャリア上で送信される場合の上記例に従って、６の再使用因子が、達成され得る。しかしながら、特許請求の範囲の主題は、上記例だけに限定されないことを理解すべきである。
【００５３】
図４を参照すると、ワイヤレス通信環境において基地局タイミングの多段階調整を使用するシステム４００が、示されている。システム４００は、同期信号を転送するための低再使用チャネルを共用する基地局４０２と、任意の数の異種の基地局（単数または複数）４０４と、を含む。基地局４０２は、例えば、図３の送信する基地局３０２、および／または図３の受信する基地局３０４、に実質的に類似することがある。さらに、異種の基地局（単数または複数）４０４のおのおのは、図３の送信する基地局３０２、および／または図３の受信する基地局３０４、に実質的に類似することがある。
【００５４】
基地局４０２は、クロックコンポーネント４０６（例えば、図３のクロックコンポーネント３０６、図３のクロックコンポーネント３１２、...）と、同期信号生成コンポーネント４０８（例えば、図３の同期信号生成コンポーネント３０８、...）と、調整コンポーネント４１０（例えば、図３の調整コンポーネント３１４、...）と、送信コンポーネント４１２（例えば、図３の送信コンポーネント３１０、...）と、受信コンポーネント４１４（例えば、図３の受信コンポーネント３１６、...）と、を含むことができる。基地局４０２（例えば、調整コンポーネント４１０、...）は、低再使用チャネルを経由して１つまたは複数の異種の基地局（単数または複数）４０４から受信コンポーネント４１４によって受信される同期信号（単数または複数）に基づいてクロックコンポーネント４０６を調整することができる。追加して、または代わりに、基地局４０２は、クロックコンポーネント４０６に基づいて同期信号を（例えば、同期信号生成コンポーネント４０８を用いて、...）与えることができ、そして与えられた同期信号は、送信コンポーネント４１２により低再使用チャネル上で送信され得る。
【００５５】
一例によれば、基地局４０２は、期間の一部分の間に低再使用チャネル上でクロックコンポーネント４０６に基づいて与えられる同期信号を送信することができ、そして低再使用チャネル上で送信していないときに低再使用チャネルを（例えば、異種の基地局（単数または複数）４０４によって送信される同期信号（単数または複数）を求めて）リッスンすることができる。さらに、調整コンポーネント４１０は、ただし必要ではないが、低再使用チャネルを経由して受信コンポーネント４１４によって得られる同期信号（単数または複数）の関数としてクロックコンポーネント４０６を調整することができる。
【００５６】
低再使用の性質に起因して、同期信号を搬送するために使用される低再使用チャネルのために大きな帯域幅を割り付けることはスペクトル効率が悪い可能性がある。さらに、狭帯域チャネルは、時間のあいまい性の影響を受ける可能性がある。一例によれば、低再使用チャネルが、十分なタイミング精度を提供しない場合、２段階の同期化戦略が、システム４００によって使用され得る。２段階の同期化戦略の一部分としてクロックコンポーネント４０６を調整するときに、基地局４０２の調整コンポーネント４１０は、クロックコンポーネント４０６を（例えば、第１の受信された同期信号に基づいて、...）粗調整し(coarsely tune)、そして次いでクロックコンポーネント４０６を（例えば、低再使用チャネルまたは別個のチャネルを経由して得られる第２の受信された同期信号に基づいて、...）微調整する(finely tune)ことができる。追加して、または代わりに、低再使用チャネル上で同期信号を送信するときに、クロックコンポーネント４０６の同期精度のレベルに応じて、基地局４０２は、粗タイミング(coarse timing)と微タイミング(fine timing)との両方に関連する低再使用チャネルのリソースを使用して（例えば、クロックコンポーネント４０６が、しきい値より上の同期精度のレベルを有する場合、...）、あるいは微タイミングに関連するリソースを利用した送信を禁止しながら、粗タイミングに関連する低再使用チャネルのリソースを利用して（例えば、クロックコンポーネント４０６が、しきい値より下の同期精度のレベルを有する場合、...）、同期信号生成コンポーネント４０８によって与えられる同期信号を送信することができる。
【００５７】
上述の例に続いて、低再使用チャネルは、先ず、低再使用チャネルを共用する基地局（例えば、基地局４０２、異種の基地局（単数または複数）４０４、...）に粗タイミングを提供することができる。さらに、微タイミングを与えるための協調沈黙(coordinated silence)が、次いで、基地局４０２と異種の基地局（単数または複数）４０４との間でネゴシエートされ得る。基地局４０２は、微タイミングを通信するために利用されるべき協調沈黙リソース(coordinated silence resources)４１８を識別するために異種の基地局（単数または複数）４０４（例えば、おのおのネゴシエーションコンポーネント４１６に実質的に類似することがある異種の基地局（単数または複数）のそれぞれの異種のネゴシエーションコンポーネント（単数または複数）、...）と、協調することができるネゴシエーションコンポーネント４１６を含むことができる。粗タイミングは、要求される同期精度を満たさないタイミング（例えば、しきい値より下の、同期精度のレベルを有するタイミング、...）を意味することがあり得る、微タイミングは、そのような要件を満たすタイミング（例えば、しきい値より上の、同期精度のレベルを有するタイミング、...）を意味することがあり得る。ネゴシエーションコンポーネント４１６によって識別され、そして基地局４０２と、異種の基地局（単数または複数）４０４との間で合意される協調沈黙リソース４１８は、同期信号を送信するために使用されるべき時間、期間、周波数帯域、および／または拡散符号、を含むことができる。協調沈黙の期間は、例えば、粗タイミングの精度に依存する可能性がある。さらに、協調沈黙中に、微タイミングを有する基地局は、協調沈黙リソース４１８を使用して低再使用チャネルまたは別個のチャネルの上で同期信号を送信することを可能にされることができ、そして微タイミングのない基地局は、協調沈黙リソース４１８を使用して低再使用チャネルまたは別個のチャネルの上で同期信号の送信を禁止することができる。さらに、微タイミングのない基地局は、低再使用チャネルまたは別個のチャネルの協調沈黙リソース４１８の上で送信される微タイミング同期信号を（例えば、受信コンポーネント４１４を用いて、...）探索することができる。
【００５８】
例証として、ネゴシエーションコンポーネント４１６は、クロックドリフト(clock drift)の関数として協調沈黙リソース４１８を認識するために異種の基地局（単数または複数）４０４と情報をやりとりすることができる。例えば、クロックコンポーネント４０６は、それが、ある期間（例えば、Ｔ秒、ここでＴは、実質的に任意の値とすることができる、...）の後に、同期精度レベルを下回ることが推定されるように、クロックドリフトに関連づけられることがあり得る。それ故に、ネゴシエーションコンポーネント４１６は、協調沈黙に、クロックドリフトに基づいてスケジュールされるようにさせることができる。したがって、送信コンポーネント４１２は、協調沈黙に関連する期間にわたって調整コンポーネント４１０によって遂行されるクロックコンポーネント４０６の以前の調整からＴ秒後に、基地局４０２からの同期信号の送信を休止させることができる。さらに、協調沈黙に関連する期間中に、受信コンポーネント４１４は、１つまたは複数の異種の基地局（単数または複数）４０４から、協調沈黙リソース４１８を（例えば、低再使用チャネルまたは別個のチャネルの上で、...）使用して送信される同期信号（単数または複数）をリッスンすることができる。さらに、クロックコンポーネント４０６は、受信コンポーネント４１４を経由して受信される同期信号を使用して調整コンポーネント４１０によって再調整され得る。したがって、同期化は、基地局４０２と、異種の基地局（単数または複数）４０４との間で維持され得る。
【００５９】
基地局４０２と、異種の基地局（単数または複数）４０４との間でネゴシエートされる協調沈黙の使用は、拡張された信号受信能力を与えることができる。さらなる例によれば、協調沈黙が、微細同期化に適用することだけではなく必要であることが、企図される。もっと正確に言えば、協調沈黙は、粗い同期化が使用可能であるときに、ネットワークにおいて干渉を低減させるために、そして信号検出範囲を増大させるために、使用されることもあり得る。しかしながら、特許請求の範囲の主題は、上記例だけに限定されないことを理解すべきである。
【００６０】
再び、図２に示される例を参照すると、基地局の間でネゴシエートされた協調沈黙は、基地局の間の干渉を緩和することができる。例えば、基地局２０４〜２０６は、それらの間の対応するクロックを粗調整することができる。例えば、基地局２０４〜２０６は、最初に非同期とすることができるが、しかしながら、特許請求の範囲の主題は、そのように限定されることはない。この例に続いて、基地局２０４は、低再使用チャネル上で同期信号を送信することができ、そして基地局２０６は、基地局２０４によって送信される同期信号を受信し、そして受信された同期信号に基づいてそのクロックを粗調整することができる。さらに、基地局２０４〜２０６（および／または基地局２０２）は、協調沈黙をネゴシエートすることができ、それ故に、協調沈黙リソースは、そのようなネゴシエーションを経由して識別されることがあり得る。協調沈黙中に、基地局２０４〜２０６は、両方ともに、一時的に同期化を停止し、そして基地局２０２など、異種の基地局からの同期信号を探索することができる。以前に干渉していた基地局の対２０４〜２０６は、もはや協調沈黙中には互いに干渉していないので、各基地局２０４〜２０６は、よりよい信号対干渉比を有する基地局２０２からの同期信号を観察することができる。
【００６１】
図５を参照すると、ワイヤレス通信環境において低再使用チャネルを経由して受信される複数の同期信号から同期信号を選択することを可能にするシステム５００が、示されている。システム５００は、Ｘ個の送信する基地局（例えば、送信する基地局１  ５０２、...、送信する基地局Ｘ  ５０４、...）、ここでＸは実質的に任意の整数とすることができる、と、受信する基地局５０６と、を含むことができる。さらに、図示されてはいないが、システム５００は、任意の数の異種の受信する基地局を含むことができることが、企図される。
【００６２】
送信する基地局５０２〜５０４は、おのおの、図３の送信する基地局３０２、および／または図４の基地局４０２に実質的に類似することがあり、そして受信する基地局５０６は、図３の受信する基地局３０４、および／または図４の基地局４０２に実質的に類似することがある。さらに、送信する基地局５０２〜５０４は、おのおの、それぞれのクロックコンポーネント（例えば、図３のクロックコンポーネント３０６、...）と、同期信号生成コンポーネント（例えば、図３の同期信号生成コンポーネント３０８、...）と、送信コンポーネント（例えば、図３の送信コンポーネント３１０、...）と、を含むことができる。送信する基地局１  ５０２は、クロックコンポーネント１  ５０８と、同期信号生成コンポーネント１  ５１０と、送信コンポーネント１  ５１２と、...、を含むことができ、そして送信する基地局Ｘ  ５０４は、クロックコンポーネントＸ  ５１４と、同期信号生成コンポーネントＸ  ５１６と、送信コンポーネントＸ  ５１８と、を含むことができる。さらに、受信する基地局５０６は、クロックコンポーネント５２０（例えば、図３のクロックコンポーネント３１２、...）と、調整コンポーネント５２２（例えば、図３の調整コンポーネント３１４、...）と、受信コンポーネント５２４（例えば、図３の受信コンポーネント３１６、...）と、を含むことができる。
【００６３】
送信する基地局５０２〜５０４は、おのおの、それぞれの調整タイプ表示コンポーネント(alignment type indication component)５２６〜５２８をさらに含むことができる。例えば、調整タイプ表示コンポーネント１  ５２６は、送信する基地局１  ５０２のクロックコンポーネント１  ５０８が、ＧＰＳにより調整されるか、自己調整されるか、または少なくとも１つの異なる基地局から調整されるかを（例えば、同期信号生成コンポーネント１  ５１０によって与えられる同期信号にフラグを組み込むことにより、...）示すことができる。同様に、調整タイプ表示コンポーネントＸ  ５２８は、送信する基地局Ｘ  ５０４のクロックコンポーネントＸ  ５１４が、ＧＰＳにより調整されるか、自己調整されるか、または少なくとも１つの異なる基地局から調整されるかに関する通知を提供することができる。
【００６４】
受信する基地局５０６は、低再使用チャネルを経由して受信される同期信号の組から特定の同期信号を選択することができるソース選択コンポーネント(source selection component)５３０、をさらに含むことができる。例えば、ソース選択コンポーネント５３０は、それから同期信号の組が得られる送信する基地局５０２〜５０４によって使用される調整タイプに基づいて特定の同期信号を選択することができる。例として、ソース選択コンポーネント５３０は、送信する基地局１  ５０２が、ＧＰＳにより調整されるものとして認識され、そして送信する基地局Ｘ  ５０４が、自己調整され、または少なくとも１つの異なる基地局から調整されるものとして識別される場合に、送信する基地局Ｘ  ５０４からの同期信号とは対照的に送信する基地局１  ５０２からの同期信号を選択することができるが、しかしながら、特許請求の範囲の主題は、上記例だけには限定されないことを理解すべきである。追加して、または代わりに、ソース選択コンポーネント５３０は、その組の中の同期信号に関連する干渉レベルに基づいて特定の同期信号を選択することができるが、けれども、特許請求の範囲の主題は、そのように限定されることはない。
【００６５】
図６〜８を参照すると、ワイヤレス通信環境において基地局を同期させることに関連した方法が、示されている。説明を簡単にする目的のために、本方法は、一連の動作(acts)として示され説明されるが、いくつかの動作が、１つまたは複数の実施形態に従って、ここにおいて示され説明される順序とは異なる順序で、かつ／または他の動作と同時に起こることができるので、本方法は、動作の順序によって限定されないことを理解し認識すべきである。例えば、当業者は、一方法が、代わりに、状態図などの中の一連の相互に関連した状態またはイベントとして表されることができることを理解し認識するであろう。さらに、必ずしもすべての例示の動作は、１つまたは複数の実施形態に従って方法をインプリメントするために必要とされるとは限らない可能性がある。
【００６６】
図６を参照すると、ワイヤレス通信環境において基地局を同期させることを容易にする方法６００が、示されている。６０２において、信号は、低再使用チャネルを経由して基地局において受信され得る。例えば、その信号は、同期信号とすることができる。低再使用チャネルは、直交周波数分割多元接続（ＯＦＤＭＡ）システムにおけるサブキャリアの組、および／または周波数分割多元接続（ＦＤＭＡ）システムにおける周波数帯域を含むことができる。信号は、信号を送信するために使用される１つまたは複数の時間、期間、周波数帯域、または拡散符号に対応するリソース上で送信されることがあり得る。一例によれば、信号は、低再使用チャネルに含まれるＮ個のスロットの組からの特定のスロットの中で、与えられた送信する基地局から受信されることができ、ここでＮは、整数とすることができる。さらに、信号を送信すべき与えられた送信する基地局によって利用されるＮ個のスロットの組からの特定のスロットは、時間と共に（例えば、与えられた送信する基地局に関連する疑似ランダムシーケンスの関数として、...）変化することができる。
【００６７】
６０４において、基地局のクロックは、信号に合わせて調整されることがある。例として、基地局のタイミングおよび／または周波数は、信号に基づいて調整され得る。さらに、基地局のクロックが調整される信号は、低再使用チャネルを経由して受信される信号の組から選択され得る。例えば、信号は、信号のおのおのがそれぞれ受信されるそれぞれの送信する基地局のクロックが、全地球測位システム（ＧＰＳ）により調整されるか、自己調整されるか、または少なくとも１つの異なる基地局から調整されるか、を識別する組の中の信号のおのおのに対応する表示に基づいて選択され得る。
【００６８】
次に図７を参照すると、ワイヤレス通信環境において基地局のクロックを調整することを容易にする方法７００が、示されている。７０２において、複数の同期信号が、低再使用チャネルを経由して基地局において受信され得る。追加して、または代わりに、複数の同期信号の少なくともサブセットが、別個の時／符号分割された(time/code divided)チャネルを経由して受信され得る。７０４において、基地局のクロックは、低再使用チャネルのリソースの第１のサブセットの上で受信される第１の同期信号に合わせて粗調整されることができる。７０６において、基地局のクロックは、リソースの第２のサブセットの上で受信される第２の同期信号に合わせて微調整され得る。一例によれば、リソースの第２のサブセットは、低再使用チャネルのリソース（単数または複数）とすることができる（例えば、低再使用チャネルは、微タイミングを提供するために使用され得る、...）。別の例として、リソースの第２のサブセットは、別個のチャネルのリソース（単数または複数）とすることができ（例えば、微タイミングは、粗タイミングを提供するために使用される同じ低再使用チャネルを経由して提供される必要がなく）、それ故に、粗タイミングを確立するとすぐに、微タイミングは、別個の時／符号分割されたチャネル（例えば、別個のチャネル、...）上で搬送されることができ、そして低再使用チャネルに制約される必要はないことが、可能である。リソースの第２のサブセットは、同期精度の少なくともあらかじめ決定されたレベルを有する、少なくとも１つの基地局（例えば、微タイミングを有する送信する基地局（単数または複数）、...）からの伝送のために予約されることがあり得る。
【００６９】
低再使用チャネルは、１グループの基地局によって共用され得る。さらに、グループからの基地局の第１のサブセットは、低再使用チャネルまたは別個のチャネルの上で協調沈黙のために識別されるリソースを利用してそれぞれの同期信号を送信することができる（例えば、協調沈黙のために識別されるリソースは、リソースの第２のサブセットとすることがある、...）。さらに、グループからの基地局の第２のサブセット（例えば、残り）は、識別されたリソースを使用した、それぞれの同期信号の伝送をなしで済ませることができる。
【００７０】
図８を参照すると、ワイヤレス通信環境において同期信号を配布することを容易にする方法８００が、示されている。８０２において、同期信号は、基地局のクロックに基づいて生成され得る。基地局のクロックは、例えば、全地球測位システム（ＧＰＳ）レシーバ、異種の基地局などから得られる情報に基づいて調整され得る。別の例証によれば、基地局のクロックは、自己調整されることがあり得る。例として、同期信号は、測位基準信号（ＰＲＳ）とすることがあり得るが、しかしながら、特許請求の範囲の主題は、そのように限定されることはない。
【００７１】
８０４において、同期信号は、１グループの基地局によって共用される低再使用チャネル上で基地局から送信され得る。低再使用チャネルは、直交周波数分割多元接続（ＯＦＤＭＡ）システムにおけるサブキャリアの組、および／または周波数分割多元接続（ＦＤＭＡ）システムにおける周波数帯域を含むことができる。同期信号は、同期信号を送信するために使用される１つまたは複数の時間、期間、周波数帯域、または拡散符号に対応するリソース上で送信されることができる。一例によれば、同期信号は、低再使用チャネルに含まれるＮ個の送信スロットの組からの特定の送信スロットの中で、送信されることがあり、ここでＮは、整数とすることができる。さらに、同期信号を送信するために利用されるＮ個の送信スロットの組からの特定の送信スロットは、時間と共に（例えば、基地局に関連する疑似ランダムシーケンスの関数として、...）変化することができる。別の例として、基地局は、そのクロックが、ＧＰＳにより調整される、自己調整される、または少なくとも１つの異なる基地局から調整される、のうちの１つであるかどうかを示すことができる。
【００７２】
一例によれば、同期信号は、粗タイミングに関連するリソースを利用して低再使用チャネル上で送信されることがあり得る。さらに、同期信号は、基地局のクロックが同期精度の少なくともあらかじめ決定されたレベルを提供するときに、微タイミングに関連するリソースを使用して低再使用チャネルまたは別個のチャネルの上で送信されることがあり得る。代わりに、微タイミングに関連するリソースを使用して低再使用チャネルまたは別個のチャネルの上での同期信号の送信は、基地局のクロックが、同期精度の少なくともあらかじめ決定されたレベルを欠くときに、禁止されることがあり得る。同期信号の送信が禁止されるときに、異種の同期信号は、低再使用チャネルまたは別個のチャネルの上で微タイミングに関連するリソースを経由して受信されることがあり、そして基地局のクロックは、異種の同期信号に合わせて調整されることがあり得る。
【００７３】
低再使用チャネルは、１グループの基地局によって共用され得る。さらに、そのグループからの基地局の第１のサブセットは、低再使用チャネル上で協調沈黙のために識別されるリソースを利用してそれぞれの同期信号を送信することができる。さらに、そのグループからの基地局の第２のサブセット（例えば、残り、...）は、低再使用チャネル上で、識別されたリソースを使用した、それぞれの同期信号の伝送をなしで済ませることができる。
【００７４】
ここにおいて説明される１つまたは複数の態様に従って、推論が、ワイヤレス通信環境において基地局を同期させることに関して行われることができることが、理解されるであろう。ここで使用されるように、用語「推測する(infer)」または「推論する(inference)」ことは、一般にイベントおよび／またはデータを経由して取り込まれるような１組の観察から、ユーザ、環境、および／またはシステムの状態について推論し、またはそれらの状態を推測するプロセスを意味する。推論は、特定のコンテキスト(context)またはアクションを識別するために使用されることがあり、あるいは、例えば、状態の上での確率分布を生成することがあり得る。推論は、確率論的であり、すなわちデータおよびイベントの考察に基づいた関心のある状態の上での確率分布の計算とすることができる。推論はまた、１組のイベントおよび／またはデータから、より高レベルのイベントを構成するために使用される技法を意味することもできる。そのような推論は、それらのイベントが、時間的に近接して相関づけられても相関づけられなくても、そしてそれらのイベントおよびデータが、１つまたはいくつかのイベントおよびデータのソースに由来していようと、１組の観察されたイベントおよび／または記憶されたイベントデータから新しいイベントまたはアクションの構築をもたらす。
【００７５】
一例によれば、上記で提示される１つまたは複数の方法は、基地局のクロックを調整するために使用する１組の受信された同期信号から特定の同期信号を決定することに関連する推論を行うこと、を含むことができる。さらなる例証として、推論は、基地局の同期精度のレベルを識別することに関連して行われることができる。上記の例は、性質において例示的であり、そして行われることができる推論の数、あるいはそのような推論が、ここにおいて説明される様々な実施形態および／または方法と一緒に行われる方法、を限定するようには意図されないことが、理解されるであろう。
【００７６】
図９は、ここにおいて説明される様々な態様に関連して使用されることができるモバイルデバイス９００の説明図である。モバイルデバイス９００は、例えば、受信アンテナ（図示せず）から信号を受信し、そしてその受信信号の上で典型的なアクションを実行し（例えば、フィルタにかける、増幅する、ダウンコンバートするなどを行い）、そしてサンプルを得るために、その調整された信号をデジタル化するレシーバ９０２、を備える。レシーバ９０２は、例えば、ＭＭＳＥレシーバとすることができ、そして受信されたシンボルを復調し、チャネル推定のためにプロセッサ９０６に対してそれらを提供することができる復調器９０４、を備えることができる。プロセッサ９０６は、レシーバ９０２によって受信される情報を分析すること、および／またはトランスミッタ９１２による送信のための情報を生成することに専用のプロセッサ、モバイルデバイス９００の１つまたは複数のコンポーネントを制御するプロセッサ、および／またはレシーバ９０２によって受信される情報を分析し、トランスミッタ９１２による送信のための情報を生成し、そしてモバイルデバイス９００の１つまたは複数のコンポーネントを制御することも共に行うプロセッサ、とすることができる。
【００７７】
モバイルデバイス９００は、プロセッサ９０６に動作的に結合され、そして送信されるべきデータと、受信データと、ここに記載する様々なアクションおよび機能を実行することに関連した他の適切な任意の情報と、を記憶することができるメモリ９０８、をさらに備えることができる。
【００７８】
ここにおいて説明されるデータストア（例えば、メモリ９０８）は、揮発性メモリまたは不揮発性メモリのいずれかとすることもでき、あるいは揮発性と不揮発性との両方のメモリを含むことができることが、理解されるであろう。例証として、限定するものではないが、不揮発性メモリは、リードオンリーメモリ（ＲＯＭ）、プログラマブルＲＯＭ（programmable ROM）（ＰＲＯＭ）、電気的プログラマブルＲＯＭ(electrically programmable ROM)（ＥＰＲＯＭ）、電気的消去可能ＰＲＯＭ(electrically erasable PROM)（ＥＥＰＲＯＭ）、またはフラッシュメモリを含むことができる。揮発性メモリは、ランダムアクセスメモリ（ＲＡＭ）を含むことができ、これは外部キャッシュメモリとしての役割を果たす。例証として限定するものではないが、ＲＡＭは、シンクロナスＲＡＭ(synchronous RAM)（ＳＲＡＭ）、ダイナミックＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ  ＳＤＲＡＭ）、拡張ＳＤＲＡＭ(enhanced SDRAM)（ＥＳＤＲＡＭ）、シンクリンクＤＲＡＭ(Synchlink DRAM)（ＳＬＤＲＡＭ）、ダイレクトラムバスＲＡＭ(direct Rambus RAM)（ＤＲＲＡＭ）など、多数の形態で使用可能である。主題のシステムおよび方法のメモリ９０８は、それだけに限定されることなく、これらおよび他の適切な任意のタイプのメモリを備えるように意図される。
【００７９】
モバイルデバイス９００は、変調器９１０と、データ、信号などを基地局へと送信するトランスミッタ９１２と、をもっとさらに備える。プロセッサ９０６とは分離されているように示されるが、変調器９１０は、いくつかのプロセッサ（図示せず）、またはプロセッサ９０６の一部分とすることができることを理解すべきである。
【００８０】
図１０は、ワイヤレス通信環境において基地局のクロックを同期させるシステム１０００の説明図である。システム１０００は、複数の受信アンテナ１００６を通して１つまたは複数のモバイルデバイス１００４から信号（単数または複数）を受信するレシーバ１０１０（例えば、受信コンポーネント、...）と、送信アンテナ１００８を通して１つまたは複数のモバイルデバイス１００４へと送信するトランスミッタ１０２４（例えば、送信コンポーネント、...）と、を有する基地局１００２（例えば、アクセスポイント、...）、を備える。さらに、基地局１００２は、複数の受信アンテナ１００６を通して１つまたは複数の異種の基地局からレシーバ１０１０を用いて信号（単数または複数）を受信し、かつ／または送信アンテナ１００８を通してトランスミッタ１０２４を用いて１つまたは複数の異種の基地局へと送信することができる。レシーバ１０１０は、受信アンテナ１００６から情報を受信することができ、そして受信された情報を復調する復調器１０１２に動作的に関連づけられる。復調されたシンボルは、図９に関して上記で説明されるプロセッサに類似していることがあり、そしてモバイルデバイス（単数または複数）１００４および／または異種の基地局（単数または複数）へと送信され、またはそれらから受信されるべきデータ、および／またはここに記載する様々なアクションおよび機能を実行することに関連した他の適切な任意の情報、を記憶するメモリ１０１６に結合されたプロセッサ１０１４によって分析される。プロセッサ１０１４は、さらに、同期信号生成コンポーネント１０１８、および／または調整コンポーネント１０２０に結合される。同期信号生成コンポーネント１０１８は、図４の同期信号生成コンポーネント４０８に実質的に類似することがあり、かつ／または調整コンポーネント１０２０は、図４の調整コンポーネント４１０に実質的に類似することがある。同期信号生成コンポーネント１０１８は、基地局１００２のクロックに基づいて低再使用チャネル上で送信されるべき同期信号を与えることができる。さらに、調整コンポーネント１０２０は、低再使用チャネルを経由して異種の基地局から受信される同期信号に合わせて基地局１００２のクロックを調整することができる。さらに、図示されてはいないが、基地局１００２は、クロックコンポーネント、ネゴシエーションコンポーネント、調整タイプ表示コンポーネント、および／またはソース選択コンポーネント、をさらに含むことができることを理解すべきである。基地局１００２は、変調器１０２２をさらに含むことができる。変調器１０２２は、上記説明に従ってモバイルデバイス（単数または複数）１００４へのアンテナ１００８を通してのトランスミッタ１０２４による送信のためのフレームを多重化することができる。プロセッサ１０１４とは分離されているように示されるが、同期信号生成コンポーネント１０１８、調整コンポーネント１０２０、および／または変調器１０２２は、いくつかのプロセッサ（図示せず）、またはプロセッサ１０１４の一部分とすることができることを理解すべきである。
【００８１】
いくつかの態様においては、ここにおける教示は、マクロスケールカバレッジ（一般的にマクロセルネットワークと称される３Ｇネットワークなど、大面積のセルラネットワーク）と、より小さなスケールのカバレッジ（例えば、住居ベースまたはビルディングベースのネットワーク環境）とを含むネットワークの中で使用されふことがあり得る。アクセス端末(access terminal)（「ＡＴ」）（例えば、モバイルデバイス、...）が、そのようなネットワークを通して移動するときに、アクセス端末は、マクロカバレッジを提供するアクセスノード(access nodes)（「ＡＮ」）（例えば、基地局、...）によりある種のロケーションにおいてサーブされる(served)ことがあるが、アクセス端末は、より小さなスケールのカバレッジを提供するアクセスノードにより他のロケーションにおいてサーブされることがあり得る。いくつかの態様においては、より小さなカバレッジのノードは、付加的な容量増大と、ビルディングの中のカバレッジと、異なるサービス（例えば、よりロバストなユーザ経験のための）とを提供するために使用されることができる。ここにおける考察においては、比較的大面積上のカバレッジを提供するノードは、マクロノード（例えば、マクロセル基地局、...）と称されることがある。比較的小面積（例えば、住居）上のカバレッジを提供するノードは、フェムトノード（例えば、フェムトセル基地局、...）と称されることがある。マクロエリアより小さく、そしてフェムトエリアよりも大きなエリア上のカバレッジを提供するノードは、ピコノード（例えば、商用ビルディング内のカバレッジを提供する）と称されることがある。
【００８２】
マクロノード、フェムトノード、またはピコノードに関連するセルは、それぞれマクロセル、フェムトセル、またはピコセルと称されることがある。いくつかのインプリメンテーションにおいては、各セルは、さらに、１つまたは複数のセクタに関連づけられる（例えば、それに分割される）ことがある。
【００８３】
様々なアプリケーションにおいては、他の専門用語が、マクロノード、フェムトノード、またはピコノードを言及するために使用されることがあり得る。例えば、マクロノードは、アクセスノード、基地局、アクセスポイント、ｅＮｏｄｅＢ、マクロセル、マクロセル基地局などとして構成され、または称されることがある。また、フェムトノードは、ホームノードＢ、ホームｅＮｏｄｅＢ、アクセスポイント基地局、フェムトセル、フェムトセル基地局などとして構成され、または称されることもある。
【００８４】
図１１は、ここにおける教示がインプリメントされることがある、いくつかのユーザをサポートするように構成されたワイヤレス通信システム１１００を示している。システム１１００は、各セルが、対応するアクセスノード１１０４（例えば、アクセスノード１１０４Ａ〜１１０４Ｇ）によってサービスされた、例えば、マクロセル１１０２Ａ〜１１０２Ｇなど、複数のセル１１０２のための通信を提供する。図１１に示されるように、アクセス端末１１０６（例えば、アクセス端末１１０６Ａ〜１１０６Ｌ）は、時間と共にシステム１１００全体を通しての様々なロケーションに分散されることができる。各アクセス端末１１０６は、例えば、アクセス端末１１０６がアクティブであるかどうかと、それがソフトハンドオフに(in soft handoff)あるかどうかと、に応じて与えられた瞬間に順方向リンク(forward link)（「ＦＬ」）および／または逆方向リンク(reverse link)（「ＲＬ」）の上で１つまたは複数のアクセスノード１１０４と通信することができる。ワイヤレス通信システム１１００は、大きな地理的領域上でサービスを提供することができる。例えば、マクロセル１１０２Ａ〜１１０２Ｇは、近隣の少数のブロックをカバーすることができる。
【００８５】
図１２は、１つまたは複数のフェムトノードが、ネットワーク環境内で展開される例示の通信システム１２００を示している。特に、システム１２００は、比較的小さなスケールのネットワーク環境の中に（例えば、１つまたは複数のユーザの住居１２３０の中に）インストールされる複数のフェムトノード１２１０（例えば、フェムトノード１２１０Ａおよび１２１０Ｂ）を含む。各フェムトノード１２１０は、ＤＳＬルータ、ケーブルモデム、ワイヤレスリンク、または他の接続性手段（図示せず）を経由して、広域ネットワーク１２４０（例えば、インターネット）と、モバイルオペレータコアネットワーク(mobile operator core network)１２５０とに結合されることができる。下記で論じられるように、各フェムトノード１２１０は、関連するアクセス端末１２２０（例えば、アクセス端末１２２０Ａ）と、オプショナルにエイリアンアクセス端末(alien access terminals)１２２０（例えば、アクセス端末１２２０Ｂ）とをサーブするように構成されていることができる。言い換えれば、フェムトノード１２１０に対するアクセスは、制約されることができ、それによって与えられたアクセス端末１２２０は、１組の指定された（例えば、ホーム）フェムトノード（単数または複数）１２１０によってサーブされることがあるが、ただし指定されない任意のフェムトノード１２１０（例えば、隣のフェムトノード１２１０）によってはサーブされなくてもよい。
【００８６】
図１３は、そのおのおのが、いくつかのマクロカバレッジエリア１３０４を含むいくつかの追跡エリア１３０２（あるいは経路指定エリアまたはロケーションエリア）が定義されるカバレッジマップ１３００の一例を示している。ここで、追跡エリア１３０２Ａ、１３０２Ｂ、および１３０２Ｃに関連するカバレッジのエリアは、幅広線(wide lines)によって描かれ、そしてマクロカバレッジエリア１３０４は、六角形によって表される。追跡エリア１３０２は、フェムトカバレッジエリア１３０６も含んでいる。この例においては、フェムトカバレッジエリア１３０６のおのおの（例えば、フェムトカバレッジエリア１３０６Ｃ）は、マクロカバレッジエリア１３０４（例えば、マクロカバレッジエリア１３０４Ｂ）内に示される。しかしながら、フェムトカバレッジエリア１３０６は、全体的にマクロカバレッジエリア１３０４内に位置していなくてもよいことを理解すべきである。実際に、多数のフェムトカバレッジエリア１３０６は、与えられた追跡エリア１３０２、またはマクロカバレッジエリア１３０４を用いて定義されることがある。また、１つまたは複数のピコカバレッジエリア（図示せず）は、与えられた追跡エリア１３０２またはマクロカバレッジエリア１３０４内で定義されることもある。
【００８７】
再び、図１２を参照すると、フェムトノード１２１０の所有者は、モバイルオペレータコアネットワーク１２５０を通して提供される、例えば、３Ｇモバイルサービスなどのモバイルサービスに加入することができる。さらに、アクセス端末１２２０は、マクロ環境の中でも、そしてより小さなスケールの（例えば、住居の）ネットワーク環境の中でも共に、動作することを可能とすることができる。言い換えれば、アクセス端末１２２０の現在のロケーションに応じて、アクセス端末１２２０は、マクロセルモバイルネットワーク１２５０のアクセスノード１２６０によって、または１組のフェムトノード１２１０（例えば、対応するユーザの住居１２３０内に存在するフェムトノード１２１０Ａおよび１２１０Ｂ）のうちの任意の１つによって、サーブされることがある。例えば、加入者が、彼の家の外側にいるときに、彼は、標準のマクロアクセスノード（例えば、ノード１２６０）によってサーブされ、そして加入者が家にいるときには、彼は、フェムトノード（例えば、ノード１２１０Ａ）によってサーブされる。ここで、フェムトノード１２１０は、既存のアクセス端末１２２０と後方互換性がある(backward compatible)ことがあることを理解すべきである。
【００８８】
フェムトノード１２１０は、単一周波数上で、または代替案においては複数の周波数上で展開されることができる。特定のコンフィギュレーションに応じて、単一周波数、または複数の周波数のうちの１つまたは複数は、マクロノード（例えば、ノード１２６０）によって使用される１つまたは複数の周波数とオーバーラップすることができる。
【００８９】
いくつかの態様においては、アクセス端末１２２０は、そのような接続性が可能であるときはいつでも、好ましいフェムトノード（例えば、アクセス端末１２２０のホームフェムトノード）に接続するように構成されていることがある。例えば、アクセス端末１２２０が、ユーザの住居１２３０の内部にあるときはいつでも、アクセス端末１２２０は、ホームフェムトノード１２１０だけと通信することが望ましい可能性がある。
【００９０】
いくつかの態様においては、アクセス端末１２２０が、マクロセルラネットワーク１２５０内で動作するが、その最も好ましいネットワーク上に（例えば、好ましいローミングリストの中で定義されるように）存在していない場合、アクセス端末１２２０は、よりよいシステムが現在使用可能であるかどうかを決定する使用可能なシステムの定期的スキャンを必要とする可能性があるベターシステムリセレクション(Better System Reselection)（「ＢＳＲ」）と、そのような好ましいシステムに関連づけるべき後続の努力と、を使用して最も好ましいネットワーク（例えば、好ましいフェムトノード１２１０）を探索し続けることができる。取得入力(acquisition entry)を用いて、アクセス端末１２２０は、特定の帯域とチャネルとについての探索を制限することができる。例えば、最も好ましいシステムについての探索は、定期的に反復されることができる。好ましいフェムトノード１２１０の発見のすぐ後に、アクセス端末１２２０は、そのカバレッジエリア内にキャンプするためのフェムトノード１２１０を選択する。
【００９１】
フェムトノードは、いくつかの態様において制約される可能性がある。例えば、与えられたフェムトノードは、ある種のサービスをある種のアクセス端末に対して提供することができるだけである。いわゆる制限された（または閉ざされた）関連付けを有する展開においては、与えられたアクセス端末は、マクロセルモバイルネットワークと、フェムトノード（例えば、対応するユーザの住居１２３０内に存在するフェムトノード１２１０）の定義された組とによってサーブされることができるだけである。いくつかのインプリメンテーションにおいては、ノードは、少なくとも１つのノードについて、信号方式、データアクセス、登録、ページング、またはサービスのうちの少なくとも１つを提供しないように制限される可能性がある。
【００９２】
いくつかの態様においては、制限されたフェムトノード（これは、閉ざされた加入者グループホームノードＢと称されることもある）は、アクセス端末の制限されたプロビジョニングされた組に対してサービスを提供するものである。この組は、必要に応じて一時的にまたは恒久的に拡張されることがある。いくつかの態様においては、閉ざされた加入者グループ(Closed Subscriber Group)（「ＣＳＧ」）は、アクセス端末の共通アクセス制御リストを共有するアクセスノード（例えば、フェムトノード）の組として定義されることがある。ある領域の中のすべてのフェムトノード（またはすべての制限されたフェムトノード）が動作するチャネルは、フェムトチャネルと称されることがある。
【００９３】
様々な関係が、それ故に、与えられたフェムトノードと、与えられたアクセス端末との間に存在することができる。例えば、アクセス端末の観点から、オープンなフェムトノードは、制限された関連付けのないフェムトノードを意味することができる。制限されたフェムトノードは、何らかの方法で制限される（例えば、関連付けおよび／または登録について制限される）フェムトノードを意味することができる。ホームフェムトノード(home femto node)は、アクセス端末が、アクセスし、そしてその上で動作するように権限を与えられたフェムトノードを意味することができる。ゲストフェムトノード(guest femto node)は、アクセス端末が、アクセスし、またはその上で動作するように一時的に権限を与えられたフェムトノードを意味することができる。エイリアンフェムトノード(alien femto node)は、アクセス端末が、おそらく緊急事態（例えば、９１１コール）を除いて、アクセスし、またはその上で動作するように権限を与えられていないフェムトノードを意味することができる。
【００９４】
制限されたフェムトノードの観点から、ホームアクセス端末は、制限されたフェムトノードにアクセスするように権限を与えられたアクセス端末を意味することができる。ゲストアクセス端末は、制限されたフェムトノードに対する一時的アクセスを有するアクセス端末を意味することができる。エイリアンアクセス端末は、例えば、９１１コールなど、おそらく緊急事態を除いて、制限されたフェムトノードにアクセスする許可を有さないアクセス端末（例えば、制限されたフェムトノードに登録するための証明書または許可を有さないアクセス端末）を意味することができる。
【００９５】
便宜上、ここにおける開示は、フェムトノードの場合についての様々な機能を説明している。しかしながら、ピコノードは、より大きなカバレッジエリアについて同じまたは類似した機能を提供することができることを理解すべきである。例えば、ピコノードは、制限されることができ、ホームピコノードは、与えられたアクセス端末について定義されることができるなどである。
【００９６】
ワイヤレス多元接続通信システムは、複数のワイヤレスアクセス端末についての通信を同時にサポートすることができる。上記で述べられるように、各端末は、順方向リンクと逆方向リンクとの上の伝送を経由して１つまたは複数の基地局と通信することができる。順方向リンク（またはダウンリンク）は、基地局から端末への通信リンクを意味し、そして逆方向リンク（またはアップリンク）は、端末から基地局への通信リンクを意味する。この通信リンクは、単一入力単一出力(single-in-single-out)システム、多入力多出力(multiple-in-multiple-out)（「ＭＩＭＯ」）システム、あるいは何らかの他のタイプのシステムを経由して確立されることができる。
【００９７】
ＭＩＭＯシステムは、データ伝送のために複数の（ＮＴ個の）送信アンテナと、複数の（ＮＲ個の）受信アンテナと、を使用する。ＮＴ個の送信アンテナと、ＮＲ個の受信アンテナとによって形成されるＭＩＭＯチャネルは、ＮＳ個の独立チャネルへと分解されることができ、これらの独立チャネルは、空間チャネルとも称され、ここで、ＮＳ≦ｍｉｎ｛ＮＴ，ＮＲ｝である。ＮＳ個の独立チャネルのおのおのは、次元(dimension)に対応する。複数の送信アンテナと受信アンテナとによって生成される追加の次元が、利用される場合、ＭＩＭＯシステムは、改善された性能（例えば、より高いスループットおよび／またはより大きな信頼性）を提供することができる。
【００９８】
ＭＩＭＯシステムは、時分割複信(time division duplex)（「ＴＤＤ」）と、周波数分割複信(frequency division duplex)（「ＦＤＤ」）とをサポートすることができる。ＴＤＤシステムにおいては、順方向リンク送信と逆方向リンク送信とは、同じ周波数領域上にあり、その結果、相反性原理は、逆方向リンクチャネルから順方向リンクチャネルの推定を可能にするようになる。これは、複数のアンテナが、アクセスポイントにおいて使用可能であるときに、アクセスポイントが、順方向リンク上で送信ビーム形成利得を抽出することを可能にする。
【００９９】
図１４は、一例のワイヤレス通信システム１４００を示している。ワイヤレス通信システム１４００は、簡潔にするために、１つの基地局１４１０と、１つのモバイルデバイス１４５０とを示す。しかしながら、システム１４００は、複数の基地局および／または複数のモバイルデバイスを含むこともでき、そこで、追加の基地局および／またはモバイルデバイスは、下記に説明される基地局１４１０およびモバイルデバイス１４５０の例と実質的に類似しており、または異なる可能性があることを理解すべきである。さらに、基地局１４１０および／またはモバイルデバイス１４５０は、それらの間のワイヤレス通信を容易にするために、ここにおいて説明されるシステム（図１〜５、９〜１３および１５〜１６）および／または方法（図６〜８）を使用することができることを理解すべきである。
【０１００】
基地局１４１０において、いくつかのデータストリームについてのトラフィックデータが、データソース１４１２から送信（ＴＸ）データプロセッサ１４１４へと供給される。一例によれば、各データストリームは、それぞれのアンテナ上で送信されることができる。ＴＸデータプロセッサ１４１４は、符号化されたデータを供給するために、そのデータストリームについて選択される特定の符号化スキームに基づいてトラフィックデータストリームをフォーマットし、符号化し、そしてインターリーブする。
【０１０１】
各データストリームについての符号化されたデータは、直交周波数分割多重(orthogonal frequency division multiplexing)（ＯＦＤＭ）技法を使用してパイロットデータと多重化されることができる。追加して、または代わりに、パイロットシンボルは、周波数分割多重(frequency division multiplexed)（ＦＤＭ）、時分割多重(time division multiplexed)（ＴＤＭ）、または符号分割多重(code division multiplexed)（ＣＤＭ）とすることができる。パイロットデータは、一般的に、知られている方法で処理される、知られているデータパターンであり、そしてチャネル応答を推定するためにモバイルデバイス１４５０において使用されることができる。各データストリームについての多重化されたパイロットデータと、符号化されたデータとは、そのデータストリームが変調シンボルを供給するために選択される特定の変調スキーム（例えば、２相位相変調(binary phase-shift keying)（ＢＰＳＫ）、４相位相変調(quadrature phase-shift keying)（ＱＰＳＫ）、M相位相変調(M-phase-shift keying)（Ｍ−ＰＳＫ）、M値直交振幅変調(M-quadrature amplitude modulation)（Ｍ−ＱＡＭ）など）に基づいて変調される（例えば、シンボルマッピングされる）ことができる。各データストリームについてのデータレート、符号化、および変調は、プロセッサ１４３０によって実行され、または提供される命令によって決定され得る。メモリ１４３２は、基地局１４１０のプロセッサ１４３０または他のコンポーネントによって使用されるプログラムコードと、データと、他の情報とを記憶することができる。
【０１０２】
データストリームについての変調シンボルは、ＴＸ  ＭＩＭＯプロセッサ１４２０へと供給されることができ、このＴＸ  ＭＩＭＯプロセッサは、さらに、（例えば、ＯＦＤＭについての）変調シンボルを処理することができる。次いで、ＴＸ  ＭＩＭＯプロセッサ１４２０は、ＮＴ個の変調シンボルストリームをＮＴ個のトランスミッタ（ＴＭＴＲ）１４２２ａないし１４２２ｔへと供給する。様々な実施形態においては、ＴＸ  ＭＩＭＯプロセッサ１４２０は、データストリームのシンボルに対して、そしてシンボルが送信されているアンテナに対して、ビーム形成重みを適用する。
【０１０３】
各トランスミッタ１４２２は、１つまたは複数のアナログ信号を供給するためにそれぞれのシンボルストリームを受信し、そして処理し、そしてさらに、ＭＩＭＯチャネル上での送信のために適切な被変調信号を供給するために、それらのアナログ信号を調整する（例えば、増幅し、フィルタにかけ、そしてアップコンバートする）。さらに、トランスミッタ１４２２ａないし１４２２ｔからのＮＴ個の被変調信号は、それぞれＮＴ個のアンテナ１４２４ａないし１４２４ｔから送信される。
【０１０４】
モバイルデバイス１４５０において、送信された被変調信号は、ＮＲ個のアンテナ１４５２ａないし１４５２ｒによって受信され、そして各アンテナ１４５２からの受信信号は、それぞれのレシーバ（ＲＣＶＲ）１４５４ａないし１４５４ｒへと供給される。各レシーバ１４５４は、それぞれの信号を調整し（例えば、フィルタにかけ、増幅し、そしてダウンコンバートし）、サンプルを供給するために調整された信号をデジタル化し、そしてさらに、対応する「受信」シンボルストリームを供給するためにサンプルを処理する。
【０１０５】
ＲＸデータプロセッサ１４６０は、ＮＴ個の「検出された」シンボルストリームを供給するために、特定のレシーバ処理技法に基づいてＮＲ個のレシーバ１４５４からのＮＲ個の受信シンボルストリームを受信し、そして処理することができる。ＲＸデータプロセッサ１４６０は、データストリームについてのトラフィックデータを回復するために、検出された各シンボルストリームを復調し、デインターリーブし、そして復号することができる。ＲＸデータプロセッサ１４６０による処理は、基地局１４１０においてＴＸ  ＭＩＭＯプロセッサ１４２０と、ＴＸデータプロセッサ１４１４とによって実行される処理と相補的である。
【０１０６】
プロセッサ１４７０は、上記で論じられるように、どのプリコーディング行列を利用すべきかを定期的に決定することができる。さらに、プロセッサ１４７０は、行列インデックス部分と、ランク値部分とを備える逆方向リンクメッセージを定式化することができる。
【０１０７】
逆方向リンクメッセージは、通信リンクおよび／または受信データストリームに関する様々なタイプの情報を備えることができる。逆方向リンクメッセージは、やはりデータソース１４３６からいくつかのデータストリームについてのトラフィックデータを受信するＴＸデータプロセッサ１４３８によって処理され、変調器１４８０によって変調され、トランスミッタ１４５４ａないし１４５４ｒによって調整され、そして基地局１４１０へと送信して戻されることができる。
【０１０８】
基地局１４１０において、モバイルデバイス１４５０からの被変調信号は、モバイルデバイス１４５０によって送信された逆方向リンクメッセージを抽出するために、アンテナ１４２４によって受信され、レシーバ１４２２によって調整され、復調器１４４０によって復調され、そしてＲＸデータプロセッサ１４２２によって処理される。さらに、プロセッサ１４３０は、どのプリコーディング行列をビーム形成重みを決定するために使用すべきか、を決定するためにその抽出されたメッセージを処理することができる。
【０１０９】
プロセッサ１４３０および１４７０は、それぞれ基地局１４１０と、モバイルデバイス１４５０とにおいてオペレーションを指示する（例えば、制御する、協調させる、管理するなどを行う）ことができる。それぞれのプロセッサ１４３０および１４７０は、プログラムコードとデータとを記憶するメモリ１４３２および１４７２に関連づけられることができる。プロセッサ１４３０および１４７０は、それぞれアップリンクとダウンリンクとについての周波数およびインパルスの応答推定値を導き出すために計算を実行することもできる。
【０１１０】
ここにおいて説明される実施形態は、ハードウェア、ソフトウェア、ファームウェア、ミドルウェア、マイクロコード、またはそれらの任意の組合せの形でインプリメントされることができることを理解すべきである。ハードウェアインプリメンテーションでは、処理装置は、ここにおいて説明される機能を実行するように設計された１つまたは複数の特定用途向け集積回路(application specific integrated circuits)（ＡＳＩＣ）、デジタル信号プロセッサ(digital signal processors)（ＤＳＰ）、デジタル信号処理デバイス(digital signal processing devices)（ＤＳＰＤ）、プログラマブル論理デバイス(programmable logic devices)（ＰＬＤ）、フィールドプログラマブルゲートアレイ(field programmable gate arrays)（ＦＰＧＡ）、プロセッサ、コントローラ、マイクロコントローラ、マイクロプロセッサ、他の電子ユニット、あるいはそれらの組合せ、の内部にインプリメントされることができる。
【０１１１】
実施形態が、ソフトウェア、ファームウェア、ミドルウェアまたはマイクロコード、プログラムコードまたはコードセグメントの形でインプリメントされるときに、それらは、ストレージコンポーネントなどの機械可読媒体に記憶されることができる。コードセグメントは、プロシージャ、ファンクション、サブプログラム、プログラム、ルーチン、サブルーチン、モジュール、ソフトウェアパッケージ、クラス、あるいは命令、データ構造、またはプログラムステートメントの任意の組合せ、を表すことができる。コードセグメントは、情報、データ、引き数、パラメータ、またはメモリコンテンツを渡すこと、および／または受信することにより、別のコードセグメント、またはハードウェア回路に結合されることができる。情報、引き数、パラメータ、データなどは、メモリ共有、メッセージパッシング、トークンパッシング、ネットワーク伝送などを含む適切な任意の手段を使用して、渡され、転送され、または送信されることができる。
【０１１２】
ソフトウェアインプリメンテーションでは、ここにおいて説明される技法は、ここにおいて説明される機能を実行するモジュール（例えば、プロシージャ、ファンクションなど）を用いてインプリメントされることができる。ソフトウェアコードは、メモリユニットに記憶され、そしてプロセッサによって実行されることができる。メモリユニットは、プロセッサの内部に、またはプロセッサの外部にインプリメントされることがあり、プロセッサの外部の場合には、それは、当技術分野において知られているように、様々な手段を経由してプロセッサに通信するように結合されることがあり得る。
【０１１３】
図１５を参照すると、ワイヤレス通信環境において基地局のクロックを同期させることを可能にするシステム１５００が、示されている。例えば、システム１５００は、基地局の内部に少なくとも部分的に存在することができる。システム１５００は、機能ブロックを含むように表され、これらの機能ブロックは、プロセッサ、ソフトウェア、またはそれらの組合せ（例えば、ファームウェア）によってインプリメントされる機能を表す機能ブロックとすることができることを理解すべきである。システム１５００は、一緒に動作することができる電気コンポーネントの論理的グループ分け１５０２を含んでいる。例えば、論理的グループ分け１５０２は、低再使用チャネルを経由して基地局において１組の同期信号を得るための電気コンポーネント１５０４、を含むことができる。さらに、論理的グループ分け１５０２は、その組からの少なくとも１つの同期信号に合わせて基地局のクロックを調整するための電気コンポーネント１５０６、を含むことができる。論理的グループ分け１５０２は、その組からの少なくとも１つの同期信号を選択するための電気コンポーネント１５０８をオプショナルに含むこともできる。さらに、論理的グループ分け１５０２は、低再使用チャネルのリソースの第１のサブセット上で得られる第１の同期信号と、低再使用チャネルまたは別個のチャネルのうちの少なくとも一方のリソースの第２のサブセット上で得られる第２の同期信号との関数として基地局のクロックを調整するための電気コンポーネント１５１０、をオプショナルに含むこともできる。さらに、システム１５００は、電気コンポーネント１５０４、１５０６、１５０８、および１５１０に関連する機能を実行するための命令を保持するメモリ１５１２を含むこともできる。メモリ１５１２の外部にあるように示されているが、電気コンポーネント１５０４、１５０６、１５０８、および１５１０のうちの１つまたは複数は、メモリ１５１２の内部に存在することができることを理解すべきである。
【０１１４】
図１６を参照すると、ワイヤレス通信環境において同期信号を配布することを可能にするシステム１６００が、示されている。例えば、システム１６００は、基地局の内部に少なくとも部分的に存在することができる。システム１６００は、機能ブロックを含むように表され、これらの機能ブロックは、プロセッサ、ソフトウェア、またはそれらの組合せ（例えば、ファームウェア）によってインプリメントされる機能を表す機能ブロックとすることができることを理解すべきである。システム１６００は、一緒に動作することができる電気コンポーネントの論理的グループ分け１６０２を含んでいる。例えば、論理的グループ分け１６０２は、基地局のクロックの関数として同期信号を生成するための電気コンポーネント１６０４を含むことができる。さらに、論理的グループ分け１６０２は、低再使用チャネル上で基地局からの同期信号を送信するための電気コンポーネント１６０６、を含むことができる。さらに、論理的グループ分け１６０２は、基地局の同期精度のレベルの関数として微タイミングに関連するリソースの上で、低再使用チャネル上で基地局からの同期信号を送信するための電気コンポーネント１６０８をオプショナルに含むことができる。論理的グループ分け１６０２は、基地局が、同期精度の少なくともあらかじめ決定されたレベルを欠くときに、微タイミングに関連するリソースの上で受信される異種の同期信号の上で基地局のクロックを調整するための電気コンポーネント１６１０をオプショナルに含むこともできる。さらに、システム１６００は、電気コンポーネント１６０４、１６０６、１６０８、および１６１０に関連する機能を実行するための命令を保持するメモリ１６１２を含むこともできる。メモリ１６１２の外部にあるように示されているが、電気コンポーネント１６０４、１６０６、１６０８、および１６１０のうちの１つまたは複数は、メモリ１６１２の内部に存在することができることを理解すべきである。
【０１１５】
ここにおいて開示される実施形態に関連して説明される様々な例示の論理、論理ブロック、モジュール、および回路は、ここにおいて説明される機能を実行するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートなゲートまたはトランジスタの論理、ディスクリートハードウェアコンポーネント(discrete hardware components)、あるいはそれらの任意の組合せ、を用いてインプリメントされ、または実行されることができる。汎用プロセッサは、マイクロプロセッサとすることもできるが、代替案においては、プロセッサは、従来の任意のプロセッサ、コントローラ、マイクロコントローラ、または状態機械とすることもできる。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、としてインプリメントされることもできる。さらに、少なくとも１つのプロセッサは、上記で説明される１つまたは複数のステップおよび／またはアクションを実行するように動作可能な１つまたは複数のモジュールを備えることもできる。
【０１１６】
さらに、ここにおいて開示される態様に関連して説明されるアルゴリズムまたは方法についてのアクションおよび／またはステップは、ハードウェアの形で直接に、プロセッサによって実行されるソフトウェアモジュールの形で、あるいはそれら２つの組合せの形で実施されることがあり得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野において知られている他の任意の形態のストレージ媒体の中に存在することができる。例示のストレージ媒体は、プロセッサが、ストレージ媒体から情報を読み取り、そしてストレージ媒体へと情報を書き込むことができるように、プロセッサに結合されることができる。代替案においては、ストレージ媒体は、プロセッサと一体になっていることもできる。さらに、いくつかの態様においては、プロセッサとストレージ媒体とは、ＡＳＩＣの中に存在することができる。さらに、ＡＳＩＣは、ユーザ端末の中に存在することもできる。代替案においては、プロセッサと、ストレージ媒体とは、ユーザ端末の中の個別コンポーネント(discrete components)として存在することもできる。さらに、いくつかの態様においては、アルゴリズムまたは方法のアクションおよび／またはステップは、機械可読媒体および／またはコンピュータ可読媒体の上のコードおよび／または命令のうちの１つあるいは任意の組合せまたは組として存在することもでき、これらの媒体は、コンピュータプログラムプロダクトの中に組み込まれていることができる。
【０１１７】
１つまたは複数の態様においては、説明される機能は、ハードウェア、ソフトウェア、ファームウェア、またはそれらの任意の組合せの形でインプリメントされることがあり得る。ソフトウェアの形でインプリメントされる場合、機能は、コンピュータ可読媒体上で１つまたは複数の命令またはコードとして記憶され、あるいは送信されることができる。コンピュータ可読媒体は、ある場所から別の場所へのコンピュータプログラムの転送を容易にする任意の媒体を含む通信媒体およびコンピュータストレージ媒体の両方を含んでいる。ストレージ媒体は、コンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令もしくはデータ構造の形態で望ましいプログラムコードを搬送し、または記憶するために使用されることができ、そしてコンピュータによってアクセスされることがあり得る他の任意の媒体、を備えることができる。また、任意の接続も、コンピュータ可読媒体と名づけられることができる。例えば、ソフトウェアが、同軸ケーブル、光ファイバケーブル、ツイステッドペア、デジタル加入者回線(digital subscriber line)（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイステッドペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク(compact disc)（ＣＤ）、レーザーディスク（登録商標）(laser disc)、光ディスク(optical disc)、デジタル多用途ディスク(digital versatile disc)（ＤＶＤ）、フロッピーディスク(floppy（登録商標） disk)、およびブルーレイディスク(blu-ray disc)を含み、ここでディスク(disk)は通常、データを磁気的に再生するが、ディスク(disc)は通常、レーザを用いて光学的にデータを再生する。上記の組合せもまた、コンピュータ可読媒体の範囲内に含められるべきである。
【０１１８】
上記の開示は、例示の態様、および／または実施形態について論じているが、説明された態様、および／または添付の特許請求の範囲によって定義されるような実施形態の範囲を逸脱することなく、様々な変更および修正が、ここにおいて行われることができることに注意すべきである。さらに、説明された態様、および／または実施形態の要素は、単一形で説明され、または請求される可能性があるが、単数形への限定が、明示的に述べられていない限り、複数形も、企図される。さらに、任意の態様および／または実施形態のすべてまたは一部分は、その他の方法で述べられていない限り、他の任意の態様および／または実施形態のすべてまたは一部分と共に利用されることもあり得る。
以下に、本願の当初の特許請求の範囲に記載された発明を付記する。
［Ｃ１］
低再使用チャネルを経由して基地局において信号を受信することと、
前記信号に合わせて前記基地局のクロックを調整することと、を備える方法。
［Ｃ２］
前記再使用チャネルのリソースの第１のサブセットの上で受信される第１の信号に合わせて前記基地局の前記クロックを粗調整することと、
リソースの第２のサブセットの上で受信される第２の信号に合わせて前記基地局の前記クロックを微調整することと、をさらに備え、リソースの前記第２のサブセットは、同期精度の少なくともあらかじめ決定されたレベルを有する、少なくとも１つの基地局からの伝送のために予約される、［Ｃ１］に記載の方法。
［Ｃ３］
１グループの基地局は、前記低再使用チャネルを共用し、そして前記グループからの基地局の第１のサブセットは、前記低再使用チャネルの上の協調沈黙のために識別されるリソースを利用してそれぞれの信号を送信し、そして前記グループからの基地局の第２のサブセットは、前記低再使用チャネルの上の前記協調沈黙のために識別される前記リソースを使用した、それぞれの信号の伝送をなしで済ませる、［Ｃ１］に記載の方法。
［Ｃ４］
前記低再使用チャネルに含まれるＮ個のスロットの組からの特定のスロットの中で与えられた送信する基地局から前記信号を受信することをさらに備え、Nは整数である、［Ｃ１］に記載の方法。
［Ｃ５］
前記与えられた送信する基地局によって利用される前記低再使用チャネルに含まれるＮ個のスロットの前記組からの前記特定のスロットは、時間と共に変化する、［Ｃ４］に記載の方法。
［Ｃ６］
前記低再使用チャネルは、周波数分割多元接続（ＦＤＭＡ）システムの中の周波数帯域または直交周波数分割多元接続（ＯＦＤＭＡ）システムの中のサブキャリアの組のうちの一方を備える、［Ｃ１］に記載の方法。
［Ｃ７］
前記低再使用チャネルを経由して受信される１組の信号から前記信号を選択すること、をさらに備える、［Ｃ１］に記載の方法。
［Ｃ８］
前記信号は同期信号である、［Ｃ１］に記載の方法。
［Ｃ９］
低再使用チャネルを経由して基地局において同期信号を受信し、そして、
前記同期信号に合わせて前記基地局のクロックを調整する、
ように構成された少なくとも１つのプロセッサを備える、ワイヤレス通信装置。
［Ｃ１０］
前記低再使用チャネルのリソースの第１のサブセットの上で受信される第１の同期信号に合わせて前記基地局の前記クロックを粗調整し、そして、
前記低再使用チャネル、または別個のチャネルのうちの１つまたは複数についてのリソースの第２のサブセットの上で受信される第２の同期信号に合わせて前記基地局の前記クロックを微調整する、
ように構成された少なくとも１つのプロセッサをさらに備え、
リソースの前記第２のサブセットは、同期精度の少なくともあらかじめ決定されたレベルを有する少なくとも１つの基地局からの伝送のために予約される、［Ｃ９］に記載のワイヤレス通信装置。
［Ｃ１１］
１グループの基地局は、前記低再使用チャネルを共用し、前記グループからの基地局の第１のサブセットは、前記低再使用チャネルの上の協調沈黙のために予約されるリソースを利用してそれぞれの同期信号を送信し、前記グループからの基地局の第２のサブセットは、前記低再使用チャネルの上の前記協調沈黙のために予約される前記リソースを使用した、それぞれの同期信号の伝送を停止させる、［Ｃ９］に記載のワイヤレス通信装置。
［Ｃ１２］
前記低再使用チャネルに含まれるＮ個のスロットの組からのスロットを変化させる特定の時間において、特定の送信する基地局から前記同期信号を受信する
ように構成された少なくとも１つのプロセッサ、をさらに備え、
Ｎは整数である、［Ｃ９］に記載のワイヤレス通信装置。
［Ｃ１３］
前記低再使用チャネルは、周波数分割多元接続（ＦＤＭＡ）システムの中の周波数帯域または直交周波数分割多元接続（ＯＦＤＭＡ）システムの中のサブキャリアの組のうちの一方を備える、［Ｃ９］に記載のワイヤレス通信装置。
［Ｃ１４］
前記低再使用チャネルを経由して複数の送信する基地局からそれぞれ受信される同期信号の組から前記同期信号を選択する
ように構成された少なくとも１つのプロセッサをさらに備える、［Ｃ９］に記載のワイヤレス通信装置。
［Ｃ１５］
低再使用チャネルを経由して基地局において同期信号の組を得るための手段と、
前記組からの少なくとも１つの同期信号に合わせて前記基地局のクロックを調整するための手段と、を備える装置。
［Ｃ１６］
前記組からの前記少なくとも１つの同期信号を選択するための手段をさらに備える、［Ｃ１５］に記載の装置。
［Ｃ１７］
前記低再使用チャネルのリソースの第１のサブセット上で得られる第１の同期信号と、前記低再使用チャネル、または別個のチャネルのうちの少なくとも一方についてのリソースの第２のサブセット上で得られる第２の同期信号との関数として前記基地局の前記クロックを調整するための手段をさらに備える、［Ｃ１５］に記載の装置。
［Ｃ１８］
１グループの基地局は、前記低再使用チャネルを共用し、前記グループからの基地局の第１のサブセットは、前記低再使用チャネルの上の協調沈黙のために予約されるリソースを利用してそれぞれの同期信号を送信し、前記グループからの基地局の第２のサブセットは、前記低再使用チャネルの上の前記協調沈黙のために予約される前記リソースを使用した、それぞれの同期信号の伝送を禁止する、［Ｃ１５］に記載の装置。
［Ｃ１９］
前記組の中の前記同期信号のおのおのが、対応する送信する基地局からそれぞれ送信される対応する送信スロットは、時間の関数として変化する、［Ｃ１５］に記載の装置。
［Ｃ２０］
少なくとも１台のコンピュータに、低再使用チャネルを経由して基地局において信号を受信するようにさせるためのコードと、
少なくとも１台のコンピュータに、前記信号に合わせて前記基地局のクロックを調整するようにさせるためのコードと、
を備えるコンピュータ可読媒体、を備えるコンピュータプログラムプロダクト。
［Ｃ２１］
前記コンピュータ可読媒体は、
少なくとも１台のコンピュータに、前記低再使用チャネルのリソースの第１のサブセットの上で受信される第１の信号に合わせて前記基地局の前記クロックを粗調整するようにさせるためのコードと、
少なくとも１台のコンピュータに、リソースの第２のサブセットの上で受信される第２の信号に合わせて前記基地局の前記クロックを微調整するようにさせるためのコードと、
をさらに備え、リソースの前記第２のサブセットは、同期精度の少なくともあらかじめ決定されたレベルを有する少なくとも１つの基地局からの伝送のために予約される、［Ｃ２０］に記載のコンピュータプログラムプロダクト。
［Ｃ２２］
１グループの基地局は、前記低再使用チャネルを共用し、前記グループからの基地局の第１のサブセットは、前記低再使用チャネルの上の協調沈黙のために識別されるリソースを利用してそれぞれの信号を送信し、前記グループからの基地局の第２のサブセットは、前記低再使用チャネルの上の前記協調沈黙のために識別される前記リソースを使用した、それぞれの信号の伝送をなしで済ませる、［Ｃ２０］に記載のコンピュータプログラムプロダクト。
［Ｃ２３］
前記コンピュータ可読媒体は、少なくとも１台のコンピュータに、前記低再使用チャネルに含まれるＮ個のスロットの組からの特定のスロットの中で、与えられた送信する基地局から前記信号を受信するようにさせるためのコード、をさらに備え、Ｎは整数である、［Ｃ２０］に記載のコンピュータプログラムプロダクト。
［Ｃ２４］
前記与えられた送信する基地局によって利用される前記低再使用チャネルに含まれるＮ個のスロットの前記組からの前記特定のスロットは、時間と共に変化する、［Ｃ２３］に記載のコンピュータプログラムプロダクト。
［Ｃ２５］
前記低再使用チャネルは、周波数分割多元接続（ＦＤＭＡ）システムの中の周波数帯域または直交周波数分割多元接続（ＯＦＤＭＡ）システムの中のサブキャリアの組のうちの一方を備える、［Ｃ２０］に記載のコンピュータプログラムプロダクト。
［Ｃ２６］
前記コンピュータ可読媒体は、少なくとも１台のコンピュータに、前記低再使用チャネルを経由して受信される信号の組から前記信号を選択するようにさせるためのコード、をさらに備える、［Ｃ２０］に記載のコンピュータプログラムプロダクト。
［Ｃ２７］
低再使用チャネルを経由して受信する基地局において同期信号を得る受信コンポーネントと、
前記得られた同期信号に合わせて前記受信する基地局のクロックを調整する調整コンポーネントと、
を備える装置。
［Ｃ２８］
前記低再使用チャネルを経由して受信される同期信号の組から、前記調整コンポーネントによって利用される前記同期信号を選択するソース選択コンポーネントをさらに備える、［Ｃ２７］に記載の装置。
［Ｃ２９］
基地局のクロックに基づいて同期信号を生成することと、
１グループの基地局によって共用される低再使用チャネル上で前記基地局から前記同期信号を送信することと、
を備える方法。
［Ｃ３０］
粗タイミングに関連するリソースを利用して前記低再使用チャネル上で前記同期信号を送信することをさらに備える、［Ｃ２９］に記載の方法。
［Ｃ３１］
前記同期信号は、前記同期信号を送信するために使用される１つまたは複数の時間、期間、周波数帯域、または拡散符号に対応するリソース上で送信される、［Ｃ２９］に記載の方法。
［Ｃ３２］
前記基地局の前記クロックが、同期精度の少なくともあらかじめ決定されたレベルを提供するときに、微タイミングに関連するリソースを使用して前記低再使用チャネルまたは別個のチャネルのうちの少なくとも一方の上で前記同期信号を送信すること、をさらに備える、［Ｃ２９］に記載の方法。
［Ｃ３３］
前記基地局の前記クロックが、同期精度の少なくとも前記あらかじめ決定されたレベルを欠くときに、微タイミングに関連する前記リソースを使用して前記同期信号の伝送を禁止することをさらに備える、［Ｃ３２］に記載の方法。
［Ｃ３４］
微タイミングに関連する前記リソースを経由して異種の同期信号を受信することと、
前記異種の同期信号に合わせて前記基地局の前記クロックを調整することと、
をさらに備える、［Ｃ３３］に記載の方法。
［Ｃ３５］
前記グループからの基地局の第１のサブセットは、前記低再使用チャネルの上の協調沈黙のために識別されるリソースを利用してそれぞれの同期信号を送信し、前記グループからの基地局の第２のサブセットは、前記低再使用チャネルの上の前記協調沈黙のために識別される前記リソースを使用した、それぞれの同期信号の伝送をなしで済ませる、［Ｃ２９］に記載の方法。
［Ｃ３６］
前記低再使用チャネルは、周波数分割多元接続（ＦＤＭＡ）システムの中の周波数帯域または直交周波数分割多元接続（ＯＦＤＭＡ）システムの中のサブキャリアの組のうちの一方を備える、［Ｃ２９］に記載の方法。
［Ｃ３７］
前記低再使用チャネルに含まれるＮ個の送信スロットの組からの特定の送信スロットの中で前記同期信号を送信すること、をさらに備え、Ｎは整数とすることができる、［Ｃ２９］に記載の方法。
［Ｃ３８］
前記基地局に関連する疑似ランダムシーケンスの関数として時間と共に前記同期信号を送信するために利用されるＮ個の送信スロットの前記組からの前記特定の送信スロットを変化させること、をさらに備える、［Ｃ３７］に記載の方法。
［Ｃ３９］
前記基地局の前記クロックが、全地球測位システム（ＧＰＳ）により調整される、自己調整される、または少なくとも１つの異なる基地局から調整される、のうちの１つであるかどうかを示すこと、をさらに備える、［Ｃ２９］に記載の方法。
［Ｃ４０］
基地局のクロックに基づいて同期信号を与え、そして、
１グループの基地局によって共用される低再使用チャネル上で前記基地局から前記同期信号を送信する、
ように構成された少なくとも１つのプロセッサを備える、ワイヤレス通信装置。
［Ｃ４１］
粗タイミングに関連するリソースのサブセットを利用して前記低再使用チャネル上で前記同期信号を送信し、
前記基地局の前記クロックが、同期精度の少なくともあらかじめ決定されたレベルを提供するときに、微タイミングに関連するリソースのサブセットを使用して前記低再使用チャネルまたは別個のチャネルのうちの少なくとも一方の上で前記同期信号を送信し、そして、
前記基地局の前記クロックが、同期精度の少なくとも前記あらかじめ決定されたレベルを欠くときに、微タイミングに関連するリソースの前記サブセットを使用して前記同期信号を送信することを禁止する、
ように構成された少なくとも１つのプロセッサ、をさらに備える、［Ｃ４０］に記載のワイヤレス通信装置。
［Ｃ４２］
微タイミングに関連するリソースの前記サブセットを経由して異種の同期信号を受信し、そして、
前記異種の同期信号に合わせて前記基地局の前記クロックを調整する、
ように構成された少なくとも１つのプロセッサ、をさらに備える、［Ｃ４１］に記載のワイヤレス通信装置。
［Ｃ４３］
基地局のクロックの関数として同期信号を生成するための手段と、
低再使用チャネル上で前記基地局から前記同期信号を送信するための手段と、
を備える装置。
［Ｃ４４］
前記基地局の同期精度のレベルの関数として微タイミングに関連するリソースの上の前記低再使用チャネル上で前記基地局から前記同期信号を送信するための手段、をさらに備える、［Ｃ４３］に記載の装置。
［Ｃ４５］
前記基地局が、同期精度の少なくともあらかじめ決定されたレベルを欠くときに、微タイミングに関連するリソースの上で受信される異種の同期信号に基づいて前記基地局の前記クロックを調整するための手段、をさらに備える、［Ｃ４３］に記載の装置。
［Ｃ４６］
少なくとも１台のコンピュータに、基地局のクロックの関数として同期信号を与えるようにさせるためのコードと、
少なくとも１台のコンピュータに、複数の基地局によって共用される低再使用チャネル上で前記基地局から前記同期信号を送信するようにさせるためのコードと、
を備えるコンピュータ可読媒体を備える、コンピュータプログラムプロダクト。
［Ｃ４７］
前記コンピュータ可読媒体は、少なくとも１台のコンピュータに、前記基地局の同期精度のレベルの関数として微タイミングに関連するリソースの上の前記低再使用チャネル上で前記基地局から前記同期信号を送信するようにさせるためのコード、をさらに備える、［Ｃ４６］に記載のコンピュータプログラムプロダクト。
［Ｃ４８］
前記コンピュータ可読媒体は、前記基地局が、同期精度の少なくともあらかじめ決定されたレベルを欠くときに、少なくとも１台のコンピュータに、微タイミングに関連するリソースの上で受信される異種の同期信号に合わせて前記基地局の前記クロックを同期させるようにさせるためのコード、をさらに備える、［Ｃ４６］に記載のコンピュータプログラムプロダクト。
［Ｃ４９］
送信する基地局のクロックに基づいて同期信号を与える同期信号生成コンポーネントと、
１グループの基地局によって共用される低再使用チャネル上で前記送信する基地局から前記同期信号を送信する送信コンポーネントと、
を備える装置。
［Ｃ５０］
前記グループからの基地局の第１のサブセットは、前記低再使用チャネルの上の協調沈黙のために識別されるリソースを利用してそれぞれの同期信号を送信し、前記グループからの基地局の第２のサブセットは、前記低再使用チャネルの上の前記協調沈黙のために識別される前記リソースを使用した、それぞれの同期信号の伝送をなしで済ませる、［Ｃ４９］に記載の装置。
【図１】
0005280539.tif 000002
【図２】
0005280539.tif 000003
【図３】
0005280539.tif 000004
【図４】
0005280539.tif 000005
【図５】
0005280539.tif 000006
【図６】
0005280539.tif 000007
【図７】
0005280539.tif 000008
【図８】
0005280539.tif 000009
【図９】
0005280539.tif 000010
【図１０】
0005280539.tif 000011
【図１１】
0005280539.tif 000012
【図１２】
0005280539.tif 000013
【図１３】
0005280539.tif 000014
【図１４】
0005280539.tif 000015
【図１５】
0005280539.tif 000016
【図１６】
0005280539.tif 000017